(57)【要約】      （修正有）【課題】昇降システムの許容可能な環境条件を維持し、エレベーターの故障時間、メンテナンス時間、修復時間を最小限に抑えることができる対話型システムを提供する。【解決手段】１つまたは複数の建物施設のライフサイクル、メンテナンス、およびメトリックの監査を監視および報告するための対話型システムは、１つ以上の建物施設の操作データを収集する検知モジュールと、収集された操作データを受信して保存し、収集された操作データを使用して、建物の建物情報モデルをシミュレートし、建物の３次元モデルを構築し、建物施設のライフサイクル、メンテナンス、およびメトリックの監査レポートを生成し、建物の現在の二酸化炭素排出量を計算し、建物の将来の二酸化炭素排出量を予測するプロセッサ１２０と、コントロールセンター１３０と通信するための通信モジュールを備える。コントロールセンターは、プロセッサおよびデータ追跡システムにアクセスするためのユーザーインターフェースを含む。【選択図】図２
0003233419.tif 000002
【実用新案登録請求の範囲】
【請求項１】
1つまたは複数の建物施設のライフサイクル、メンテナンス、およびメトリックの監査を監視および報告するための対話型システム。収集された操作データを受信して保存するように構成された1つ以上のプロセッサ。収集された操作データを使用して、建物の建物情報モデル（BIM）をシミュレートします。収集された操作データを使用して、建物の3次元モデルを構築します。収集された運用データを使用して、1つ以上の建物施設のライフサイクル、メンテナンス、およびメトリックの監査レポートを生成します。建物の現在の二酸化炭素排出量を計算します。建物の将来の二酸化炭素排出量を予測します。コントロールセンターと通信するために、それぞれがプロセッサの1つに電気的に接続された1つ以上の通信モジュール。コントロールセンターは、プロセッサ、および自動、インテリジェント、およびリモートレポート再テスト（RCx）の1つ以上の追跡およびデータシステムにアクセスして取得するための、1つ以上のネットワークユーザーインターフェイスを備えています。 
【請求項２】
前記検知モジュールは、建物の地理的構成データを収集するために、前記建物の内部および外部に設置された１つ以上の３次元空間測定センサをさらに含む、請求項１に記載の対話型システム。 
【請求項３】
前記感知モジュールは、ケーブル張力プロファイルおよび前記建物のリフトの荷重を含むリフト操作データを収集するために、前記建物のリフトの少なくとも1つのサスペンション手段にそれぞれ設置される1つまたは複数の負荷センサをさらに含む、請求項1に記載の対話型システム。。 
【請求項４】
前記感知モジュールが、前記建物のリフトの少なくとも１つの吊り下げ手段に設置され、それぞれのケーブルの負荷分布の均一性を決定するためのノイズデータを収集する１つ以上のノイズセンサをさらに含む、請求項１に記載のインタラクティブシステム。停止手段。 
【請求項５】
前記検知モジュールは、前記エレベーターの運転データを収集するために、前記建物のリフトの少なくとも1つのサスペンション手段にそれぞれ設置され、1人以上のユーザーと対話する1つ以上のエレベーターセンサーをさらに含む、請求項1に記載のインタラクティブシステム。仮想現実（VR）、拡張現実（AR）、混合現実（MR）、代替現実（SR）または映画的現実（CR）テクノロジーを使用し てメディアを組み合わせ、現在の現実のビジョンと情報を強化します。 
【請求項６】
前記感知モジュールは、火災の存在を検出し、火災検出信号を前記負荷制御ユニットに送信するために、前記1つ以上の建物リフトシャフトの1つにそれぞれ設置された1つ以上の火災または煙検出器を含む、請求項1に記載の対話型システム。火災の存在が検出されたとき;火災警報システム;ここで、火災警報システムの動作は、火災検知信号が受信されたときにエレベータかごを安全フロアに移動することを含む。ここで、火災警報システムは、リフトシャフトの上方に配置された１つ以上の換気ポートを備え、火災の存在が検出されたときに換気ポートが開かれる。 
【請求項７】
前記火災警報システムの動作が、揚水シャフトの下の水ポンプ、排水ポンプおよび下水ポンプ、火災ポンプのうちの１つ以上を動作させることをさらに含む、請求項６に記載の対話型システム。 
【請求項８】
前記感知モジュールが、火災スプリンクラーホースリトラクターデータを収集し、前記データを制御センターに送信して、消火追跡およびデータシステムを統合するための1つまたは複数の火災スプリンクラーホースリトラクターボタンをさらに含む、請求項1に記載のインタラクティブシステム。 
【請求項９】
請求項１に記載の対話型システムであって、さらに以下を備えることを特徴とする対話型システム：感知モジュールと通信する、建築設備のエネルギー消費を測定するためのエネルギー測定装置。プロセッサは、エネルギー測定装置から建築設備のエネルギー消費データを受信するように構成される。建物設備の運用最適化計画を策定するために、建物のエネルギー消費モデルをシミュレートします。 
【請求項１０】
前記感知モジュールは、以下を含む、請求項１に記載のインタラクティブシステム。そして、エレベータシャフトの疾病拡散データを収集および監視し、疾病拡散追跡およびデータシステムを統合するために疾病拡散データを制御センターに送信するための1つまたは複数の微生物センサー。 
【請求項１１】
建物施設の電力消費の電気および/または電圧を測定するために、それぞれが建物施設の1つの電力回路に設置された1つまたは複数の変圧器をさらに含む、請求項1に記載の対話型システム。そして、建物施設の1つで再生された電気エネルギーを貯蔵するための1つ以上の電気貯蔵ステーション。 
【請求項１２】
１つ以上の太陽光発電ユニットをさらに備える、請求項１１に記載の対話型システム。ここで、太陽光発電ユニットは、透明な太陽光発電材料でコーティングされ、電気貯蔵ステーションに電気的に接続された１つ以上の建物窓および建物ガラス壁を含む。 
【請求項１３】
１つ以上の太陽熱エネルギー交換ユニットをさらに備える、請求項１１に記載の対話型システム。ここで、太陽熱エネルギー交換ユニットは、透明な熱吸収材料で被覆され、熱電気変換層に接続された１つ以上の建物の窓を含む。ここで、熱電変換層は、蓄電ステーションに電気的に接続されたコーティングされた建物の窓上の圧電コーティングである。 
【請求項１４】
前記建物リフトシャフトの少なくとも１つの上方に位置する１つ以上の換気ポートを備える換気システムをさらに備える、請求項１２に記載の対話型システム。少なくとも１つの換気ポートには、１つ以上のコーティングされた建物の窓が設置されている。そして、換気口に設置されたコーティングされた建物の窓は、熱放散のために開かれる。 
【請求項１５】
前記建物リフトシャフトのうちの少なくとも１つの上方に位置する１つ以上の換気ポートを備える換気システムをさらに備える、請求項１３に記載の対話型システム。少なくとも１つの換気ポートには、１つ以上のコーティングされた建物の窓が設置されている。そして、換気口に設置されたコーティングされた建物の窓は、通常の状態ではリフトシャフトの熱からのエネルギー生成のために閉じられ、熱放散のために開かれる。 
【請求項１６】
前記１つ以上の太陽光発電ユニットによって生成された余剰電力は、配電網に再分配される、請求項１４に記載の対話型システム。そして、余剰電力と現在の二酸化炭素排出量は炭素取引計算に使用されます。
【請求項１７】
前記１つ以上の太陽熱エネルギー交換ユニットによって生成された過剰な電力は、電力分配ネットワークに再分配される、請求項１５に記載の対話型システム。そして、余剰電力と現在の二酸化炭素排出量は炭素取引計算に使用されます。 
【請求項１８】
前記感知モジュールは、前記建物の廃棄物およびキッチンエネルギー貯蔵データを収集および監視し、前記データを前記制御センターに送信して、ゴミおよびキッチンを統合するための1つ以上のごみおよびキッチンエネルギー貯蔵変換センサーをさらに含む、請求項1に記載のインタラクティブシステム。無駄なエネルギー貯蔵の追跡およびデータシステム。 
【請求項１９】
前記検知モジュールは、前記ビルの回生エネルギーデータを収集および監視し、前記データを前記コントロールセンターに送信して回生エネルギー貯蔵追跡およびデータシステムを統合するための1つまたは複数の回生エネルギーセンサーをさらに備える、請求項1に記載のインタラクティブシステム。 
【請求項２０】
前記検知モジュールは、前記建物の吸熱圧力層エネルギー貯蔵データを収集および監視し、吸熱圧力層を統合するために前記データを前記制御センターに送信するための１つ以上の吸熱圧力変換センサーをさらに備える、請求項１に記載の対話型システム。エネルギー貯蔵の追跡とデータシステム。 
【請求項２１】
前記検知モジュールは、前記建物の太陽熱吸収コーティングのエネルギー貯蔵データを収集および監視し、太陽熱を統合するために前記データを前記制御センターに送信するための1つ以上の太陽熱吸収コーティング変換センサーをさらに含む、請求項1に記載の対話型システム。吸収コーティングエネルギー貯蔵追跡およびデータシステム。 
【請求項２２】
前記検知モジュールは、前記建物の電気めっきフィルム熱エネルギー吸収コーティングエネルギー貯蔵データを収集および監視し、統合のために前記データを前記制御センターに送信するための1つ以上の電気めっきフィルム熱エネルギー吸収コーティング変換センサーをさらに含む、請求項1に記載のインタラクティブシステム。電気めっき膜熱エネルギーコーティングエネルギー貯蔵追跡およびデータシステム。 
【請求項２３】
前記検知モジュールは、前記建物の陽極酸化皮膜熱エネルギー吸収コーティングエネルギー貯蔵データを収集および監視し、統合のために前記データを前記制御センターに送信するための1つ以上の陽極酸化皮膜熱エネルギー吸収コーティング変換センサーをさらに含む、請求項1に記載の対話型システム。陽極酸化皮膜エネルギー貯蔵追跡およびデータシステム。
【請求項２４】
前記検知モジュールは、前記建物の真空蒸着熱エネルギー吸収コーティングエネルギー保存データを収集および監視し、統合のために前記データを前記制御センターに送信するための1つ以上の真空蒸着熱エネルギー吸収コーティング変換センサーをさらに含む、請求項1に記載のインタラクティブシステム。真空蒸着エネルギー貯蔵追跡およびデータシステム。 
【請求項２５】
前記検知モジュールは、建物の太陽エネルギー選択吸収コーティングエネルギー蓄積データを収集および監視し、太陽選択吸収コーティングを統合するために制御センターにデータを送信するための1つ以上の太陽選択吸収コーティングセンサーをさらに含む、請求項1に記載の対話型システム。エネルギー貯蔵の追跡とデータシステム。 
【請求項２６】
エレベータのエレベータ昇降路内のエレベータ昇降路またはエレベータ昇降路に設置され、エレベータ昇降路または昇降路のビデオまたは画像をキャプチャするための1つまたは複数のカメラをさらに備える、請求項1に記載の対話型システム。エレベータかごを制御するためのエレベータ制御装置。機械式ロープグリッパーを含む意図しない車の動きの保護（UCMP）ユニット。 １つ以上のプロセッサは、カメラからリフト車またはリフトシャフトのキャプチャされたビデオまたは画像を受信するようにさらに構成される。受信したビデオまたは画像を処理し、人工知能を使用して、リフト車またはリフトシャフト内で発生する異常なインシデントを検出します。そして、１つ以上の異常な出来事が検出された場合、緊急通報を制御センターに送信し、緊急指示信号をエレベータ制御装置またはＵＣＭＰユニットに送信する。 
【請求項２７】
前記異常事件は、犯罪行為または致命的な事故によって引き起こされると疑われる異常な人体の動きまたはジェスチャーを含む、請求項２６に記載の対話型システム。リフトドアの意図しない開閉。リフト車の動きの過速度;リフトカーの意図しない動き;リフト車に接続された吊り下げ手段のケーブルの破損。リフトカーの移動経路に1つ以上の障害物が存在する。また、エレベータ制御装置に送信される緊急指示信号には、UCMPユニットを使用してエレベータかごを直ちに停止すること、または次のいずれかの組み合わせが含まれます。エレベータカーを安全フロアに移動する;リフトカーのアラームを作動させます。 
【請求項２８】
前記ＢＩＭは、前記建物の物理的および機能的特性の表現を提供して、性能および運用改善に関する意思決定を容易にする、請求項１に記載の対話型システム。 
【請求項２９】
ＳＳＬまたはＨＴＭＬコンバージェンスによりクラウドサーバーにアクセスするための中央装置、中央アクセスプラットフォーム（マスリンク）、およびインテリジェントシステムを形成する接続されたネットワークユーザーインターフェースをさらに備える、請求項１に記載の対話型システム。
【請求項３０】
1つ以上の建物施設のライフサイクル、メンテナンス、およびメトリックの監査を監視および報告する方法。1つ以上の検知モジュールを使用して、1つ以上の建物施設の稼働データを収集します。収集された操作データを1つ以上のプロセッサで受信および保存します。プロセッサを使用して、建物の建物情報モデル（BIM）をシミュレートし、収集された操作データを使用して建物の3次元モデルを構築します。収集された操作データを使用して、1つまたは複数の建物施設のライフサイクル、メンテナンス、およびメトリックの監査レポートをプロセッサで生成します。プロセッサを使用して、建物の現在の二酸化炭素排出量を計算します。プロセッサを使用して、建物の将来の二酸化炭素排出量を予測します。プロセッサおよび制御センターと通信するために 、プロセッサの1つにそれぞれ接続された1つまたは複数の通信モジュールと通信する。 
【請求項３１】
ガラス昇降シャフトを含む１つ以上の建物の外壁および屋根の表面の全体的な熱伝達値（ＯＴＴＶ）を計算することにより、建物と外部環境との間の熱伝達を推定することをさらに含む、請求項３０に記載の方法。 1つまたは複数の変圧器を使用して、建物施設の電力消費の電気および/または電圧を測定する。建物施設の1つで回生した電気エネルギーを1つ以上の蓄電ステーションで保管します。再生された電気エネルギーを配電網に再分配します。
【請求項３２】
１つ以上の太陽光発電ユニットで太陽エネルギーを電気エネルギーに変換することをさらに含む、請求項３１に記載の方法。ここで、太陽光発電ユニットは、透明な太陽光発電材料でコーティングされ、電気貯蔵ステーションに電気的に接続された１つ以上の建物窓および建物ガラス壁を含む。 
【請求項３３】
１つ以上の太陽熱エネルギー交換ユニットを用いて、太陽エネルギーを電気エネルギーに変換することをさらに含む、請求項３１に記載の方法。太陽熱エネルギー交換ユニットは、透明な熱吸収材料でコーティングされ、熱電変換層に接続された1つ以上の建物の窓を備えています。ここで、熱電変換層は、蓄電ステーションに電気的に接続されたコーティングされた建物の窓上の圧電コーティングである。 
【請求項３４】
ケーブル張力プロファイルおよび１つ以上の荷重センサを用いた建物の少なくとも１つのリフトの荷重を含むリフト動作データを収集することをさらに含む、請求項３０に記載の方法。各荷重センサーは、建物のリフトの1つにある吊り下げ手段に取り付けられています。そして、１つ以上のノイズセンサーを用いて、建物の少なくとも１つのリフトのケーブルの負荷分布の均一性を決定するためのノイズデータを収集する。各ノイズセンサーは、建物のリフトの1つにある吊り下げ手段に取り付けられています。
【請求項３５】
１つ以上のカメラで前記リフトの動きおよび乗客の流れを捕捉することをさらに含む、請求項３０に記載の方法。そして、エレベーターのゾーニングを配置するためのエレベーターの飛行をシミュレートし、そこでは、ビルの床が複数のストップのクラスターに分割され、それぞれが1つまたは複数のエレベーターによってサービスされる。
【請求項３６】
エレベータを監視および制御するためのインテリジェントシステムは、次の要素で構成されます。捕捉されたビデオまたはリフト車またはリフトシャフトの画像をカメラから受信するように構成されたプロセッサ。受信したビデオまたは画像を処理します。リフト車のリフト移動速度を測定します。乗客の流れを予測します。そして、人工知能を使用して、リフト車またはリフトシャフト内で発生する異常な出来事を検出します。エレベータかごを制御するためのエレベータ制御装置。機械式ロープグリッパーを含む意図しない車の動きの保護（UCMP）ユニット。ここで、プロセッサは、１つ以上の異常事象が検出された場合に、緊急通報を制御センターに送信し、緊急指示信号をコントローラまたはＵＣＭＰユニットに送信するように構成される。 
【請求項３７】
前記異常な事件は、次のうちのいずれかを含む、請求項３６に記載のインテリジェントシステム：リフトドアの意図しない開閉。リフト車の動きの過速度;リフトカーの意図しない動き;リフト車に接続された吊り下げ手段のケーブルの破損。リフトカーの移動経路に1つ以上の障害物が存在する。また、エレベータのコントローラに送信される緊急指示信号には、UCMPユニットで 
エレベータかごをすぐに停止すること、または次のいずれかの組み合わせが含まれます。エレベータカーを安全フロアに移動する;リフトカーのアラームを作動させます。 
【請求項３８】
エレベータを監視および制御するインテリジェントな方法は、エレベータのエレベータシャフトまたはエレベータエレベータのエレベータシャフトに設置された1台以上のカメラを使用して、エレベータケージまたはエレベータシャフトのビデオまたは画像をキャプチャします。カメラからリフト車またはリフトシャフトのキャプチャされたビデオまたは画像をプロセッサで受信します。プロセッサを使用して、受信したビデオまたは画像を処理し、人工知能を使用して、リフト車またはリフトシャフト内で発生する異常なインシデントを検出します。 １つ以上の異常な出来事が検出されたとき、緊急通報をコントロールセンターに送信し、緊急指示信号をコントローラーまたは意図しない自動車移動保護（UCMP）ユニットに送信する。 
【請求項３９】
前記異常事件は、犯罪行為または致命的な事故によって引き起こされると疑われる異常な人体の動きまたはジェスチャーを含む、請求項３８に記載のインテリジェントシステム。リフトドアの意図しない開閉。リフト車の動きの過速度;リフトカーの意図しない動き;リフト車に接続された吊り下げ手段のケーブルの破損。リフトカーの移動経路に1つ以上の障害物が存在する。また、エレベータのコントローラに送信される緊急指示信号には、UCMPユニットでエレベータかごをすぐに停止すること、または次のいずれかの組み合わせが含まれます。エレベータカーを安全フロアに移動する;リフトカーのアラームを作動させます。
【考案の詳細な説明】
【技術分野】
【０００１】
関連アプリケーションへの相互参照： 
本出願は、2017年7月18日に出願された香港短期特許出願第17107223.5号の優先権を主張します。 2017年7月18日に出願された香港短期特許出願番号17110067.8および2017年10月16日に出願された欧州特許出願番号17196719.3。その開示は、参照によりその全体が本明細書に組み込まれる。
本考案は、吊り上げシステムなどの建築設備の状態を監視するための管理、監視、および報告システムに関する。 さらに、本考案は、リフティングシステムのライフサイクルの推定に関する。メンテナンスと測定の監査レポート（LMAR）を持ち上げます。 
【０００２】
今日、建物のエネルギー効率を改善することは「主要なタスク」になっています。 建築家、エンジニア、計画立案者、開発者、および建築者は、暖房、空調、照明などのさまざまな機能を備えた施設で、エネルギー消費量がはるかに少ない「パッシブ」で低エネルギーの建物を提案しています。 消費するよりも多くのエネルギーを生成する「エネルギーにやさしい」建物を提案することはさらに進むかもしれません。 この傾向は、個々の家屋から住宅団地、産業会館から行政用建物まで、あらゆる種類の建築物で明らかです。 エネルギーの高騰は、この急速な進化の主な理由です。 さらに、気候変動に関する議論によってもたらされた意識の高まりと、化石燃料が時間内に制限されているという認識が、それを建設部門の主要な優先事項にしています。 地球温暖化の原因である二酸化炭素CO2の濃度は、産業革命以前から40パーセント以上増加しています。 このような増加は主に化石燃料の燃焼によるものであり、二次的に森林破壊によるものです。 現在の集中度は、過去80万年間で最高です。 持続可能な未来のために私たちが抱える最も困難な課題の1つは、原材料の消費を削減することです。 
【０００３】
人々が建物に複数のフロアを持っているとき以来、彼らは垂直運動のいくつかのフォームを考慮しなければなりません。 重力を克服するための毎日の戦いは、人々を様々な技術を探究し開発するようにしました。 建物では、吊り上げシステム用のロープシステムを作成するために必要な基本要素は、荷重支持、吊り下げ手段（ロープなど）、および高い位置にある吊り上げ機です。 オーバーヘッド、ボトムドライブ、シングルラップ、ダブルラップ、補償ロープの有無など、ロープシステムにはさまざまなレイアウトがあります。 
【０００４】
リフティングシステムでは、リフトは通常、シーブ上でロービングされ、反対側で釣り合いおもりに取り付けられた多数のロープおよび/またはケーブルに取り付けられます。 シーブ上をロービングするときのロープおよび/またはケーブル張力の不均一性は、いくつかのコストと安全性の問題を引き起こす可能性があります。 実際、従来の手段によってロープ張力の摩耗を最小限に抑える設定を行うことはほとんど不可能です。 張力をかける方法については、たとえ作業者が各ロープの張力を測定できたとしても、設定は試行錯誤によって行われます。 作業者は、各ロープを少しずつ数回締めたり緩めたりすることで、各ロープの張力が設定されるように、最適なロープ調整を感知してアプローチします。 このロープの設定手順には多くの時間がかかります。 リフトの設置中、乗車中に設定されたロープのさまざまな荷重分布は、理想的なロープ張力を特徴とするものと見なすことができます。 ロープの荷重はドライブで測定し、センサースイートで表示および評価できます。 その結果、ユーザーは最適なロープ張力値を受け取って実行し、個々のロープ張力によって引き起こされるロープの可能な限り小さな摩耗を得ることができます。 ロープセットの荷重分布は時間とともに変化する可能性があるため、ロープセットを定期的に確認する必要があります。 トラクションリフトの設計者が慎重に評価する必要のある問題の1つは、トラクションシーブのプーリー溝内のロープのトラクションの損失または過剰に起因する、リフト車の制御されない動きです。リフト指令95/16 / EC。 
【考案の概要】
【０００５】
本考案の目的の１つは、昇降システムの保守および監査のためのインテリジェントな自動遠隔システムを提供することである。 インテリジェント自動リモートシステムは、1つまたは複数の制御プロセスを実行することにより、昇降システムの許容可能な環境条件を維持するために使用できます。 リフティングシステムはハードウェア集約型であるため、初期インストールとメンテナンスのコストがかなり高くなる可能性があります。 また、リフティングシステムの進行中の動作には、パフォーマンスの不正確さ、機械的摩耗、および柔軟性の問題があります。 インテリジェントな自動リモートシステムを導入すると、エレベーターの故障時間を最小限に抑えることができます。 また、メンテナンス時間と修復時間を最小限に抑えることができます。
【０００６】
本考案の一態様によれば、1つまたは複数のリフトと1つまたは複数のカウンターウェイトを含むリフティングシステムの動作を監視するシステムが提供される。張力プロファイル、電力消費、 およびリフトの負荷を含むリフト動作データを収集するために、サスペンション手段は、1つまたは複数のロープ、ケーブル、および1つまたは複数のトラッキングプーリーを含む。リフトの動きを制御する負荷制御ユニット。負荷制御ユニットに電気的に接続され、サスペンション手段の負荷分散とリフトの電力消費を最適化する最適化プロセスを実行するように構成されたプロセッサ。リフト操作データを受信して保存するように構成された1つ以上のリモートプロセッサ。リモートプロセッサおよびコントロールセンターと通信するための、プロセッサに電気的に接続された通信モジュール。また、リモートプロセッサからのデータにアクセスして取得するための、1つ以上のネットワークユーザーインターフェイスを備えたコントロールセンター。 
負荷センサーによって生成された操作データは、リモートプロセッサに送信され、リモートプロセッサによって収集されます。リモートプロセッサはさらに、吊り上げシステムの吊り上げ手段または吊り上げ装置の過剰な摩耗およびロープおよびケーブルの疲労を含む異常な動作の検出のために収集された動作データを分析するように構成される。そして、リモートプロセッサは、収集された動作データからリフトメンテナンスおよび測定監査レポート（LMAR）を生成するようにさらに構成されている。 
【０００７】
一実施形態によれば、前述のシステムは、懸架手段内のケーブルの負荷分布の均一性を判定するためのノイズデータを収集するための複数のノイズセンサをさらに備える。荷重センサの少なくとも１つは、リフト操作データを荷重制御ユニットに送信するための有線または無線送信機と統合されている。ノイズセンサの少なくとも１つは、ノイズデータを負荷制御ユニットに送信するための有線または無線送信機と統合されている。そして、荷重制御ユニットは、荷重センサからリフト操作データを受信し、監査制御のためにリモートプロセッサにデータ信号を送信するための有線または無線トランシーバと統合されている。 
【０００８】
別の実施形態によれば、前述のシステムは、さらに、リフトの動きを作動させるための１つ以上の電気駆動装置と、負荷センサーによって測定された昇降システムの消費電力に応じて電気駆動装置に電流を割り当てるための、モーター制御パネルと電源の間にそれぞれ設置された1つ以上の絶縁スイッチ。およびそれぞれが分離スイッチの1つに接続され、リフト車両および/または釣り合いおもりの移動中に再生される電気エネルギーを保存し、保存された電気エネルギーをリフティングシステムまたは配電ネットワークに供給する1つ以上の回生エネルギー保存アセンブリ。 
【０００９】
別の実施形態によれば、前述のシステムは、以下をさらに含む。リフトの動きおよび乗客の流れをキャプチャして、リフト車両の飛行をシミュレートするための１つまたは複数のカメラ。リフトのドアが開いているか閉じているかを検出するために、それぞれがリフトの1つに設置された1つ以上のドアセンサー。昇降機のドアセンサが昇降機のドアが開いていることを検出すると、昇降機ブレーキまたは制動手段のそれぞれが昇降機を保持するように促される。 
建物の床が複数のストップのクラスターに分割され、それぞれが1つまたは複数のリフトカーによって処理されるリフトゾーニングを配置するためのリフトカーのフライトのシミュレーション。 
【００１０】
別の実施形態によれば、前述のシステムは、火災の存在を検出し、火災検知信号を負荷制御ユニットに送信するために、それぞれが1つ以上の昇降シャフトおよび建物施設の1つに設置された1つ以上の火災または煙探知器をさらに備える。火災の存在が検出されます。火災警報システム;ここで、負荷制御ユニットは火災警報動作を自動的に開始します。そして、火災警報システムの動作は、火災検知信号が受信されたときにエレベータかごを安全階に移動させることを含む。 
【００１１】
別の実施形態によれば、前述の火災警報システムは、リフトシャフトの少なくとも１つの上方に配置された１つ以上の換気ポートを備える。換気ポートの少なくとも1つに太陽熱エネルギー交換窓が設置されています。太陽熱エネルギー交換窓は、通常の状態ではエネルギー生成のために閉じられ、火災の存在が検出されると換気のために開かれる。 
【００１２】
本考案の別の態様によれば、１つ以上の建物の動作データを収集するための１つ以上の検知モジュールを含む、１つ以上の建物施設のライフサイクル、保守、およびメトリック監査を監視および報告するシステムが提供される。施設;収集された操作データを受信して保存するように構成された1つ以上のプロセッサ。収集された操作データを使用して、建物の建物情報モデル（BIM）をシミュレートします。収集された運用データを使用して、1つ以上の建物施設のライフサイクル、メンテナンス、およびメトリックの監査レポートを生成します。建物の現在の二酸化炭素排出量を計算します。建物の将来の二酸化炭素排出量を予測します。また、BIMは建物の物理的および機能的特性の表現を提供し、パフォーマンスと運用の改善に関する意思決定を促進します。 
【００１３】
一実施形態によれば、前述の検知モジュールは、ケーブル張力プロファイルおよびリフトの荷重を含むリフト動作データを収集するために、建物のリフトの少なくとも1つのサスペンション手 段にそれぞれ設置された1つ以上の荷重センサを含む。建物施設の電力消費量の電気および/または電圧を測定するために、それぞれが建物施設の電力回路に設置された1つまたは複数の変圧器。火災の有無を検出し、火災の存在が検出されたときに負荷制御ユニットに火災検出信号を送信するための、1つ以上の建物の昇降シャフトの1つにそれぞれ設置された1つ以上の火災または煙探知器。
【００１４】
別の実施形態によれば、前述のシステムは、リフトシャフトの上方に位置する１つ以上の換気ポートを含む火災警報システムをさらに備え、火災の存在が検出されると換気ポートが開かれる。火災警報システムの動作は、火災検知信号が受信されたときにリフトを安全フロアに移動し、リフトシャフトの下にある1つ以上の水ポンプ、排水ポンプ、下水ポンプ、消火ポンプを操作することを含みます。 
【００１５】
別の実施形態によれば、前述のシステムは、１つ以上の太陽光発電ユニットをさらに備える。太陽光発電ユニットは、透明な太陽光発電材料でコーティングされ、電気貯蔵ステーションに電気的に接続された1つ以上の建物の窓と建物のガラス壁を含む。前記システムは、少なくとも１つの建物リフトシャフトの上方に位置する１つ以上の換気ポートを備える換気システムをさらに備える。少なくとも１つの換気ポートには、１つ以上のコーティングされた建物の窓が設置されている。そして、換気口に設置されたコーティングされた建物の窓は、熱放散のために開かれる。そして、１つ以上の太陽光発電ユニットによって生成された余剰電力は、配電網に再分配される。そして、余剰電力と現在の二酸化炭素排出量は炭素取引計算に使用されます。 
【００１６】
別の実施形態によれば、前述のシステムは、透明な熱吸収材料で被覆され、熱電気変換層に接続された１つ以上の建物窓を含む１つ以上の太陽熱エネルギー交換ユニットをさらに備える。ここで、熱電気変換層は、蓄電ステーションに電気的に接続されたコーティングされた建物の窓上の圧電コーティングである。前記システムは、建物リフトシャフトの少なくとも１つの上方に位置する１つ以上の換気ポートを備える換気システムをさらに備える。少なくとも１つの換気ポートには、１つ以上のコーティングされた建物の窓が設置されている。換気口に設置されたコーティングされた建物の窓は、通常の状態ではリフトシャフトの熱からのエネルギー生成のために閉じられ、熱放散のために開かれます。そして、１つ以上の太陽光発電ユニットによって生成された余剰電力は、配電網に再分配される。そして、余剰電力と現在の二酸化炭素排出量は炭素取引計算に使用されます。 
【図面の簡単な説明】
【００１７】
本考案の解決すべき問題は、本明細書で以下に与えられる以下の説明および例示のみのために与えられ、したがって本考案を限定するものではない添付図面を考慮すると明らかになるであろう。 
図面では、いくつかの図を通して同様の参照が同様の要素を描写している： 
【図１】図１は、インテリジェント自動遠隔システムの一実施形態のデータ操作および構成によるブロック図である。
【図２】図2は、インテリジェント自動遠隔システムの一実施形態の例示的なブロック図である。
【図３】図3は、インテリジェント自動遠隔システムの一実施形態におけるリフティングシステムの異なる走行モードを示す説明図である。
【図４】図4は、インテリジェント自動遠隔システムの一実施形態における隔離スイッチの接続を示す説明図である。そして
【図５】図５は、リフティングシステムの異なる走行モードでのインテリジェント自動遠隔システムの一実施形態における電力回生およびデータ統合を示す説明図である。
【考案を実施するための形態】
【００１８】
本考案のいくつかの実施形態では、１つ以上の建物施設のライフサイクル、保守、およびメトリック監査を監視および報告するためのシステムが提供される。収集された操作データを受信して保存するように構成された1つ以上のプロセッサ。収集された操作データを使用して、建物の建物情報モデル（BIM）をシミュレートします。建物の3次元モデルの実施。収集された運用データ を使用して、1つ以上の建物施設のライフサイクル、メンテナンス、およびメトリックの監査レポートを生成します。建物の現在の二酸化炭素排出量を計算します。建物の将来の二酸化炭素排出量を予測します。コントロールセンターと通信するために、それぞれがプロセッサの1つに電気的に接続された1つ以上の通信モジュール。ここで、彼は、プロセッサからのデータにアクセスして検索するための、1つ以上のネットワーク化されたユーザーインターフェースを含むコントロールセンター。また、BIMは建物の物理的および機能的特性の表現を提供し、パフォーマンスと運用の改善に関する意思決定を促進します。 
【００１９】
本考案の他のいくつかの実施形態では、前述の検知モジュールは、ケーブル張力プロファイルおよびリフトの荷重を含むリフト動作データを収集するために、建物のリフトの少なくとも1つのサスペンション手段にそれぞれ設置される1つまたは複数の荷重センサーを含む;建物施設の電力消費量の電気および/または電圧を測定するために、それぞれが建物施設の電力回路に設置された1つまたは複数の変圧器。火災の有無を検出し、火災の存在が検出されたときに負荷制御ユニットに火災検出信号を送信するための、1つ以上の建物の昇降シャフトの1つにそれぞれ設置された1つ以上の火災または煙探知器。 
【００２０】
本考案のいくつかの他の実施形態では、1つまたは複数の建築施設のライフサイクル、メンテナンス、およびメトリック監査を監視および報告するシステムは、リフトシャフトの上に位置する1つまたは複数の換気ポートを含む火災警報システムをさらに備えてもよい。火災の存在が検出されると、換気ポートが開かれます。火災警報システムの動作は、火災検知信号を受信したときに、メインの入り口が位置する1階となる安全階にリフトを移動し、1つ以上の水ポンプ、排水ポンプ、下水ポンプを操作すること、リフトシャフトの下の消防ポンプ。 
【００２１】
本考案のいくつかの実施形態では、1つ以上の建物施設のライフサイクル、メンテナンス、およびメトリック監査を監視および報告するシステムは、それぞれが建物の1つの電力回路に設置された1つ以上の変圧器をさらに備えてもよい。建物施設の電力消費の電気および/または電圧を測定するための施設;建物施設の1つで再生された電気エネルギーを貯蔵するための1つ以上の電気貯蔵ステーション。エネルギー消費をさらに削減し、エネルギーゲインを効果的に高めるために、電気エネルギーを生成および保存する1つ以上の太陽光発電および熱交換発電ユニット。 一部の既存の建物では、大量のエネルギーが消費されます。煙突効果の下で、坑井チャネル内の空気は加熱された後に上昇し、リフトシャフトの上部の開口部から建物の外に拡散します。 システムは、窓（またはブラインド）と太陽光発電/熱交換発電ユニットで構成されたリフトシャフトの上部に開口部をさらに備え、熱エネルギーの排出、換気、エネルギー収集を促進します。例えば、光起電発電機は、リフトシャフトでの発電に太陽エネルギーを使用できるように、リフトシャフト上の建物の窓ガラスの表面に透明なエネルギー変換コーティングを備えてもよい。太陽光エネルギー変換コーティングにより、リフトシャフトは電気エネルギーの貯蔵ステーションになります。
【００２２】
上記の透明なエネルギー変換コーティングは、元々の熱吸収性の窓ガラスまたは同様の材料を発電装置に変換して太陽エネルギーと熱を介して電気を生成できるように、ガラスまたはプラスチックの表面に塗布することができる。 
【００２３】
高圧高温処理により、透明なエネルギー変換コーティングは、ガラスリフトシャフトの熱吸収層として使用できます。適用可能な太陽エネルギー熱吸収コーティングは、電気めっき、陽極酸化めっき、または真空蒸着技術によって堆積させることができます。 このような技術は、ドローン、無人飛行車両、リモートデータベースサービスなどの用途で、エネルギーの貯蔵とリサイクルに広く採用されています。 
【００２４】
本考案のいくつかの他の実施形態では、１つ以上の建物施設のライフサイクル、メンテナンス、およびメトリック監査を監視および報告するシステムは、１つ以上の太陽光発電ユニットをさらに備えてもよい。太陽光発電ユニットは、透明な太陽光発電材料でコーティングされ、電気貯蔵ステーションに電気的に接続された1つ以上の建物の窓と建物のガラス壁を含む。前記システム は、建物の昇降シャフトの少なくとも１つの上に配置された１つ以上の換気ポートを含む換気システムをさらに備える。少なくとも１つの換気ポートには、１つ以上のコーティングされた建物の窓が設置されている。そして、換気口に設置されたコーティングされた建物の窓は、熱放散のために開かれる。そして、１つ以上の太陽光発電ユニットによって生成された余剰電力は、配電網に再分配される。そして、余剰電力と現在の二酸化炭素排出量は炭素取引計算に使用されます。
【００２５】
本考案の他のいくつかの実施形態では、1つ以上の建築設備のライフサイクル、メンテナンス、およびメトリック監査を監視および報告するシステムは、透明でコーティングされた1つ以上の建物窓を含む1つ以上の太陽熱エネルギー交換ユニットをさらに備えてもよい。熱吸収材料と熱電気変換層に接続されています。ここで、熱電変換層は、蓄電ステーションに電気的に接続されたコーティングされた建物の窓上の圧電コーティングである。前記システムは、建物リフトシャフトの少なくとも１つの上方に位置する１つ以上の換気ポートを備える換気システムをさらに備える。少なくとも１つの換気ポートには、１つ以上のコーティングされた建物の窓が設置されている。換気口に設置されたコーティングされた建物の窓は、通常の状態ではリフトシャフトの熱からのエネルギー生成のために閉じられ、熱放散のために開かれます。そして、１つ以上の太陽光発電ユニットによって生成された余剰電力は、配電網に再分配される。そして、余剰電力と現在の二酸化炭素排出量は炭素取引計算に使用されます。 
【００２６】
軟磁性材料（例：太陽光発電の無人飛行車両を製造するための主要材料）Ｇｄ）またはポリフッ化ビニリデン（ＰＶＤＦ）圧電コーティングは、無駄な熱エネルギーを収集および貯蔵するために、前述の太陽熱エネルギー交換ユニットで使用されてもよい。より小さな熱勾配では、機械的振動を獲得した後、そのような無駄な熱エネルギーは使用可能な電気エネルギーに変換されます。また、熱勾配が小さいため、熱伝達効率が高くなります。 
【００２７】
本考案のいくつかの実施形態では、前述の太陽熱エネルギー交換ユニットは、ガドリニウム（Ｇｄ）などの軟磁性材料およびネオジム（Ｎｄ）などの硬磁性材料で作られてもよい。 
動作中、過剰な熱が熱拡散器に入り、減衰接続された軟磁性材料が蓄熱装置と接触し、太陽エネルギー統合モジュールが熱源によって生成された熱エネルギーを吸収し、使用可能な電気エネルギーに変換します。 前記蓄熱装置は、換気ポートに接続されているリフトシャフトおよび熱源の上部近くに配置されている。高電位と低電位によって駆動されると、磁気振動が発生し、軟磁性体の相が強磁性状態から常磁性状態へ、そして常磁性状態から強磁性状態へと変化します。 そのような圧電効果による機械的エネルギーは、電気エネルギーに変換されます。一方、熱源で発生した熱エネルギーは、熱拡散器に拡散した後、軟磁性材料を通して放散されます。 次に、ソフトマグネットが強磁性状態に戻り、磁力が強化され、ハードマグネットの作用により、サスペンションアームが連続的に機械的に変形し、生成された機械的エネルギーが圧電効果により電気エネルギーに変換されます。 
【００２８】
本考案のいくつかの実施形態では、１つ以上の建物施設のライフサイクル、メンテナンス、およびメトリック監査を監視および報告するシステムの各コンポーネントに、インターネットアクセス用のＩＰアドレスが割り当てられ、包括的な建物監視、制御システムが実現される。水ポンプ、排水ポンプ、下水ポンプ、リフトシャフトの下にある消火ポンプとの通信により、火災警報システムの操作を容易にします。 
【００２９】
本考案のいくつかの実施形態では、１つまたは複数の建物施設のライフサイクル、メンテナンス、およびメトリック監査を監視および報告するシステムは、さまざまな配線が接続された有線／無線データ伝送を介したインテリジェンスリモートストレージおよびスマートネットワークシステムで確立することができる電源および/または電力線搬送装置付き。 
スマートネットワークシステムは、関連する機器とインテリジェンスリモートストレージとの間で、ロープの張力均等化、荷重の重み付け、始動、停止の不規則性などの情報の伝送を実現します。そして、CCTVシステムとのインターフェースにより、バランスの取れた負荷、過負荷、無負荷、全負荷、ピーク時間、および同様のデータ間の比率を記録します。電力供給および計量と連動するリフトの異なる走行モードで使用される回生電力の貯蔵。電源とメーターとのインターフェースにより、乗客とリフト装置を過負荷と過牽引から保護します。電力を事前にチェックして、各フロアを離れるとき、または電力メーターと連動して着陸するときの健康動作を保証し、機器の安全コンプライアンスを監査します。遠隔検査と測定、保守と調整の品質、遠隔監視システムとのインターフェースによる目視検査により重要な部品を検査します。完全なキャブでのホールコールを無視するか、ビルモデルシステム（BMS）とのインターフェースにより、空のカー、スキャン、アナライザー、およびロガーシステムでのカーコールを無視することにより、エレベーター操作を最大化します。 
LMARは、特定のユーザーのみを許可するプライベートネットワークで運用できます。これは、電力、エネルギー、および保守コスト管理（PEMCC）とともにTMMSへの変更リンクに関連付けられています。 さらに、システムは定期保守計画の監査に役立ちます。リスクベースのモデルには、最終検査の年齢と時間が含まれます。リフト操作監査レポートを建物管理の記録と比較します。 言語を介したクラウド＆フォグコンピューティングにより、リフトレベルをリアルタイムで監査して、センサーレベルでの分析範囲を拡大できます。ここで、フォグコンピューティングは追加の分散レイヤー（保存、分析、および動作）を提供し、クラウドは高速でアクセス可能な柔軟なストレージシステムとして機能します。 SSDとメモリ内DBに加えて、メモリに直接保存されたデータに関連するストレージ、混合ストレージアーキテクチャ（ハイブリッドデータベース）は、IO /秒の観点から安価です。 
【００３０】
本考案のいくつかの実施形態では、１つ以上の建築施設のライフサイクル、メンテナンス、およびメトリック監査を監視および報告する方法は、建築施設の基本要素の最適化などの生産的で費用対効果の高い環境で提供される温度、湿度、気流、煙道ガス、屋内空気質（IAQ）、発光エミッタンス（ルクス単位）、オープンソースに基づく 、リレーショナルデータベース管理システム（RDBMS）、総所有コスト（TCO）、追加センサー、ビジョンシステム、IoT、IoSなど 。
システムは、決定可能なメンテナンス、漏水損傷、アデノシン三リン酸（ATP）テスト、音と熱のテストに関するロープ交換データを記録することもできます。 リフトデータを取得するための独立した手段は、リフトが古いバージョンであるか新しい世代のモデルであるかに関係なく、異 なるモデルまたは異なるブランドで構成されたいくつかのシステムに実装されます。 BIM、AR、人工知能（AI）、マシンツーマシン（M2M）ネットワーク、仮想プライベートネットワーク（VPN）に関するロープおよび/またはケーブル構造インターフェースの国際規格では、いくつかのインターフェース構造を実装できます。たとえば、VPNネットワークを使用してM2Mネットワークを開発できます。 この目的にはシンプルなデータSIMカードが使用され、通常のコストが抑えられます。 
【００３１】
本考案のいくつかの実施形態では、１つ以上の建物施設のライフサイクル、保守、およびメトリック監査を監視および報告する方法は、１つ以上の感知モジュールで、１つ以上の建物施設の動作データを収集することを含む。収集された操作データを1つ以上のプロセッサで受信および保存します。収集された操作データを使用して、建物の建物情報モデル（BIM）をプロセッサでシミュレートします。収集された操作データを使用して、1つまたは複数の建物施設のライフサイクル、メンテナンス、およびメトリックの監査レポートをプロセッサで生成します。プロセッサを使用して、建物の現在の二酸化炭素排出量を計算します。プロセッサを使用して、建物の将来の二酸化炭素排出量を予測します。プロセッサおよび制御センターと通信するために、プロセッサの1つにそれぞれ接続された1つまたは複数の通信モジュールと通信する。 
【００３２】
本考案のいくつかの実施形態では、１つ以上の建築設備のライフサイクル、保守、およびメトリック監査を監視および報告する方法は、計量することにより、建築設計モデル（ＢＤＭ）に基づいてエネルギー効率改善を達成することをさらに含み得る。図3に示すように、リフトの消費電力を測定し、建物の消費電力と負荷を測定して、省エネのスキームを実行します。 
【００３３】
本考案のいくつかの実施形態では、1つまたは複数の建築設備のライフサイクル、メンテナンス、およびメトリック監査を監視および報告する方法は、全体的な熱伝達値（OTTV）を計算することにより、建物と外部環境との間の熱伝達を推定することをさらに含み得る）ガラスリフトシャフトを含む1つまたは複数の建物の外壁および屋根の表面。 1つまたは複数の変圧器を使用して、建物施設の電力消費の電気および/または電圧を測定する。建物施設の1つで回生した電気エネルギーを1つ以上の蓄電ステーションで保管します。再生された電気エネルギーを配電網に再分配します。 特に、特定の時間におけるガラス窓からの熱利得Q'gは、次のように計算できます：
Q'g = UrAf-（Tao - Tai）、 
ここで、Ufは開窓の熱伝達指標値、A /は開窓の面積、Taoは屋外の気温で、Taiは屋内の気温です。 
【００３４】
本考案のいくつかの実施形態では、１つ以上の建物施設のライフサイクル、メンテナンス、およびメトリック監査を監視および報告する方法は、屋外温度、局所条件、屋内温度に対する要件、およびユーザーによる費用対効果を考慮することをさらに含み得る。エネルギー使用効率を改善するため。 一般的なフレームワーク、建物の全体的なエネルギー効率を計算するための規制された方法、およびエネルギー効率の最終的な使用基準は、新しい建物の建設または既存の建物の改修のための監視制御およびデータ取得（SCADA）システムで採用されています。 
【００３５】
本考案のいくつかの実施形態では、1つまたは複数の建築設備のライフサイクル、メンテナンス、およびメトリック監査を監視および報告する方法は、同じ向きの建物壁面の全体的な熱伝達値（OTTV）を取得することをさらに含むことができ、熱利得の3つの主要な要素として、気象と太陽のデータを考慮します。 非透明面とガラス面を介した熱伝達用のOTTVは、ガラスリフトシャフト（または建物の外層）の全体的な熱伝導率を推定するために使用できます。 ガラスリフトシャフトの電力使用量の記録から、膨大な電力使用量は主に冷却装置の使用が原因であることがわかります。 
【００３６】
本考案のいくつかの実施形態では、１つ以上の建築施設のライフサイクル、メンテナンス、およびメトリック監査を監視および報告する方法は、異なる向きの壁を考慮して太陽エネルギーの異 なる吸収を考慮することをさらに含むことができる。 最初に、各方向の建物の壁のそれぞれのOTTVが計算され、次に計算値の加重平均が取得されます。 最後に、すべての建物の壁の全体的なOTTVが計算されます。 
【００３７】
本考案のいくつかの実施形態では、１つ以上の建築設備のライフサイクル、メンテナンス、およびメトリック監査を監視および報告する方法は、建物の屋根のＯＴＴＶを計算するために使用される同様の方法を含み得る。 建物の屋根のOTTVの計算は、屋根に通常は大きなガラスの領域がないため、より簡単になります（建物の中央にある中庭を除く）。 OTTVは主に建物の外層の全体的な熱伝導率の評価に使用されます。 3つのパラメーターで得られた式：等価温度差（TDeq）、外部と内部の設計条件間の温度差（DT）、およびその方向の太陽係数（SF）によって、OTTVを使用したエネルギー消費評価の精度も決まりますどんな種類の問題が存在するかを反映します。 
【００３８】
本考案のいくつかの実施形態では、１つ以上の建物施設のライフサイクル、メンテナンス、およびメトリック監査を監視および報告する方法は、ガラスリフトシャフトまたは建物の外層の全体の熱伝導率を評価するための指標を計算することをさらに含み得る。 、TDおよびSF、非透明表面およびガラス表面の熱伝導と太陽放射。 エネルギー節約の可能性を計算し、データ収集ネットワーク、エネルギー収集、深層学習、環境技術の分野に適用できます。 
【００３９】
本考案のいくつかの実施形態では、１つ以上の建築施設のライフサイクル、メンテナンス、およびメトリック監査を監視および報告する方法は、外部層の熱伝導を通じて、屋外から屋内へのガラスリフトシャフトの熱利得を評価することをさらに含み得る。 OTTVを含む建物の空調、空調機から放散される熱、リフトおよび制御システムによって生成される熱。 
【００４０】
本考案のいくつかの実施形態では、１つまたは複数の建物施設のライフサイクル、メンテナンス、およびメトリック監査を監視および報告する方法は、電力消費の有効性を最大化することをさらに含み得る。 建物の根本的な運用上の問題、調査中の改善と最適化の機会、エネルギーギャッ プの識別に十分な信頼性を可能な限り特定することが不可欠です。 
【００４１】
本考案のいくつかの実施形態では、１つ以上の建物施設のライフサイクル、メンテナンス、およびメトリック監査を監視および報告する方法は、１つ以上の太陽光発電ユニットで太陽エネルギーを電気エネルギーに変換することをさらに含み得る。ここで、太陽光発電ユニットは、透明な太陽光発電材料でコーティングされ、電気貯蔵ステーションに電気的に接続された１つ以上の建物窓および建物ガラス壁を含む。 
【００４２】
本考案のいくつかの実施形態では、１つ以上の建物施設のライフサイクル、メンテナンス、およびメトリック監査を監視および報告する方法は、１つ以上の太陽熱エネルギー交換ユニットで太陽エネルギーを電気エネルギーに変換することをさらに含み得る。太陽熱エネルギー交換ユニットは、透明な熱吸収材料でコーティングされ、熱電変換層に接続された1つ以上の建物の窓を備えています。ここで、熱電気変換層は、蓄電ステーションに電気的に接続されたコーティングされた建物の窓上の圧電コーティングである。 
【００４３】
本考案のいくつかの実施形態では、1つまたは複数の建築施設のライフサイクル、メンテナンス、およびメトリック監査を監視および報告する方法は、自動的かつ包括的に実行され、将来に適応するのに十分な柔軟性を備えた効果的な作業環境を維持することをさらに含み得る作業環境のニーズの変化。 
【００４４】
本考案のいくつかの実施形態では、1つまたは複数の建築設備のライフサイクル、メンテナンス、およびメトリックの監査を監視および報告する方法は、収集された建築文書を計算および調査することをさらに含み得るが、本開示にリストされた項目に限定されない。基本情報は、次のような保守作業要素の品質監査中に記録されます。 
a)ファイル番号、b）建物名、c）住所、d）設置日、e）no。階数、f）提供階数、g）リフトメ ーカー、h）メンテナンス会社、i）リフトタイプ、j）リフト数、k）m / cの位置、1）定格荷重、m）機械モデル、n）リフト無効化、o）消防士のリフトp）ドアが開いているサイズ、p）ドアのタイプなど、q）cpモデル、s）いいえ。ロープの種類、t）ロープ（1：1からn：l）、u）ロープの直径、v）通常荷重q、w）車の質量f、x）ワイヤーロープの種類、y）公称強度、z）ロープの直径、aa ）曲げ回数、bb）速度、cc）トラクションシーブの直径、dd）たわみシーブの直径、ee）ロープの曲げ長さ、ff）加速度、およびgg）その他の環境要因。 
【００４５】
本考案のいくつかの実施形態では、1つ以上の建築施設のライフサイクル、メンテナンス、およびメトリック監査を監視および報告する方法は、建物の運用改善を最大化することをさらに含むことができ、データ収集は年間を通して実行されるため、運用は寒い季節と暑い季節、および中間の季節のパラメータの傾向を完全に調べることができます。 診断監視と機能テストでは、根本的な運用上の問題が発生します。 
【００４６】
本考案のいくつかの実施形態では、1つまたは複数の建築施設のライフサイクル、メンテナンス、およびメトリックの監査を監視および報告する方法は、初期機器およびデバイスのチェック、センサーの較正などのシステムの簡単な固定を実施することをさらに含むことができる診断の監視とテストの有効性を高め、運用上の問題の根本原因の理解を促進するため。 
【００４７】
本考案のいくつかの実施形態では、１つまたは複数の建築設備のライフサイクル、メンテナンス、およびメトリック監査を監視および報告する方法は、建物情報に基づいて建物のエネルギーモデリングおよびシミュレーションを実行することをさらに含み得る。 
【００４８】
本考案のいくつかの実施形態では、１つ以上の建築施設のライフサイクル、メンテナンス、およびメトリック監査を監視および報告する方法は、以下のことができるエネルギーモデリングに関連する場合がある：（a）エネルギー使用の詳細な内訳を正確に評価する建物; （b）特定された機会の選択を支援するために、省エネの量を評価します。 
【００４９】
本考案のいくつかの実施形態では、１つまたは複数の建築設備のライフサイクル、保守、およびメトリック監査を監視および報告する方法は、現在の運用情報を構築するなど、すべての所見を 要約する計画を作成することをさらに含むことができる。計画段階での年間エネルギー使用量とその内訳を構築し、既存の建物施設のライフサイクルを最適化するための後続の活動を計画します。
【００５０】
図1は、データ取得、分析、処理、通信、ランニングの概要を示す、1つまたは複数の建物施設のライフサイクル、メンテナンス、およびメトリックの監査を監視および報告するシステムの一実施形態のデータ操作および構成によるブロック図である。システムのモードとインターフェース。 
【００５１】
図２は、１つ以上のリフト５と１つ以上のカウンターウェイト６とを備えるリフトシステムの動作を監視するシステムの一実施形態を示している。 
この実施形態では、システムは、ケーブル張力プロファイル、電力消費、およびリフト５の負荷などのリフト動作データを収集するために、それぞれ吊り下げ手段または持ち上げ装置１に設置された１つ以上の負荷センサ４を含む。ここで、懸架手段は、１つ以上のロープ、ケーブル、および１つ以上の追跡プーリーを含む。リフト５の動きを制御する負荷制御ユニット８。負荷制御ユニット８に電気的に接続され、サスペンション手段１の負荷分散およびリフト５の電力消費を最適化する最適化プロセスを実行するプロセッサ９。リフト操作データを受信および保存するためのクラウドサーバーなどの1つまたは複数のリモートプロセッサ120。通信モジュールは、リモートプロセッサ１２０およびコントロールセンターシステム１３０と通信するためにプロセッサ９に接続されている。リモートプロセッサ120からのデータにアクセスして検索するための、1つ以上のネットワークユーザーインターフェース140を含むコントロールセンター130。 荷重センサ４によって生成された動作データは、リモートプロセッサ１２０に送信され収集される。リモートプロセッサ120は、吊り上げシステムの吊り上げ手段1または吊り上げ装置の過剰な摩耗およびロープおよびケーブルの疲労を含む異常な動作の検出のために収集された動作データを分析するようにさらに構成される。そして、リモートプロセッサ１２０は、収集された動作データからリフトメンテナンスおよび測定監査レポート（ＬＭＡＲ）を生成するようにさらに構成される。 
【００５２】
本考案のいくつかの実施形態では、吊り上げシステムの動作を監視するシステムは、懸架手段１内のケーブルの負荷分布の均一性を判定するためのノイズデータを収集する複数のノイズセン サをさらに備える。荷重センサ４の少なくとも１つは、リフト操作データを荷重制御ユニット８に送信するための有線または無線送信機と一体化されている。少なくとも１つのノイズセンサは、ノイズデータを負荷制御ユニット８に送信するための有線または無線送信機と統合されている。そして、負荷制御ユニット８は、負荷センサまたはノイズセンサからリフト動作データを受信し、監査制御のためにリモートプロセッサ１２０に制御信号を送信するための有線または無線トランシーバと統合される。 
【００５３】
本考案のいくつかの実施形態では、負荷センサ４は、コントローラを備えた様々なタイプの検出センサであり得る。 ただし、市場で入手可能な同様のセンサーを使用して、リモート監視システムを実行することもできます。 リフト（エレベーター）および/またはエスカレーターまたは同様の機器の状態のデータは、取り付けられたセンサーによって収集され、インターネットに送信されます。 個々のエレベーター（エレベーター）の収集データは、インターネットデータベースに保存されます。 
【００５４】
図3は、本考案の一実施形態におけるリフティングシステムの異なる走行モードを示す。 懸架手段１は、高い位置に配置された昇降機によって駆動されるロープまたはケーブルを備えてもよい。 現在、リフティングマシンは、最も単純な形で、リフト5の動きを作動させるための1つまたは複数の電動機または電気駆動装置2を含むことができ、リフト5の上方移動中にロープが転がり、ロープが巻き出すドラムリフトの下降5。 
【００５５】
本考案のいくつかの実施形態では、リフティングシステムは、リフト５の下の可撓性ケーブル、およびフィクションによってロープを引くための電気駆動装置またはモーター２に接続された牽引プーリーなどの接続装置をさらに含み得る。 このような構成により、リフティングマシンの作業負荷を大幅に削減できることは容易に理解できます。 
【００５６】
移動方向と積載条件に応じて、図3に示すように、リフティングシステムには、「重負荷」、「軽負荷」、「重負荷」、「軽負荷」という実行モードがあります。 図示の実施形態では、これらの４つの実行モードは、１：１のロープ比で構成されている。 しかし、当業者には、1：1などのさまざまな種類のロープ比率があり得ることが理解されよう。 2：1; ... ; N：lなど。異なる実行モードでのさまざまな種類の吊り上げシステムで、Nは整数です。 
【００５７】
図２を参照する。図４に示すように、リフティングシステムの動作を監視するシステムは、リフト５および／またはカウンターウェイト６の移動中に再生される電気エネルギーを貯蔵し、貯蔵した電気エネルギーをリフティングシステムに供給する１つ以上の回生エネルギー貯蔵アセンブリ１２をさらに含むことができる。配電網、およびメインアイソレーター。 
【００５８】
前述のシステムは、それぞれが荷重センサ４とインターフェース接続された１つ以上の計量装置１１をさらに含むことができる。複数のモータ制御パネル3および回生エネルギー貯蔵アセンブリ12と相互接続された1つまたは複数の電源7 。
【００５９】
図５に示すように、前述のシステムは、１つまたは複数の絶縁スイッチをさらに備え、それぞれがモータ制御パネル３と電源との間に設置された回生エネルギー貯蔵アセンブリ１２の１つに接続され、電流を電気に割り当てる。荷重センサーによって測定された昇降システムの電力消費量に応じて駆動します。 ;そして、計量装置１１とインターフェースするためのＣＴクランプ１４を引っ掛けるための伝導部。 
【００６０】
本考案のいくつかの他の実施形態において、リフティングシステムの動作を監視するシステムは、永久磁石および銅コイルからなる発電機を採用して電気エネルギーを再生し、回生エネルギーをリサイクルして効果的なエネルギー節約を図ってもよい。 
このシステムは、システムのエネルギー消費ニーズを確実に満たし、余分なエネルギーを炭素取引の新しいエネルギーに再利用できるようにするために、さまざまなタイプの輸送施設または同様の施設で使用できます。 
【００６１】
図３および図４を参照すると、昇降システムの動作を監視するシステムは、昇降シャフトに設置され得る、昇降車の飛行をシミュレートするための昇降運動および乗客の流れを捕捉するための複数の光学インテリジェントシステム１３をさらに備え得る。機械室を持ち上げ、機器または建物内外のその他の場所を持ち上げます。 
光学インテリジェントシステム１３は、エレベータカーの上昇トリップをアニメーション化および追跡するための慣性カメラまたは非慣性カメラと、昇降システム内の乗客の流れを記録するための３Ｄカメラとを備えてもよい。 建物の床が複数のストップのクラスターに分割され、それぞれが1つまたは複数のリフトカーによって処理されるリフトゾーニングを配置するためのリフトカーのフライトのシミュレーション。 このリフトゾーニングの配置により、特定のフロアに移動する乗客はグループ化される可能性が高くなり、トラフィックの効率とエネルギー使用量を改善できます。 
【００６２】
本考案のいくつかの他の実施形態では、光学インテリジェントシステム１３は、スマートフォンを介してユーザ識別を可能にし、ユーザ、物体、建物の静止画像およびビデオの記録機能を提供するスマートフォンに適合するカメラの形態であってもよい 、器材および物。 インターネットを介してワイヤレスネットワーク接続を提供し、どこからでも電話を介してユーザーまたは監査者と表示および会話する。 セキュリティを次のレベルにアップグレードするために、静止画像および/またはビデオ保存機能も提供される場合があります。 LCDディスプレイでは、より鮮明な画像ディスプレイを備えた高解像度（HD）品質のディスプレイを有効にできます。 ビューポートの構成とターゲットを選択できます。 次のステップは、ビューポートナビゲーション制御と、 AutoCADプランを使用した3D Maxでのモデルの構築を含むがこれに限定されない特定のコンピュータープログラムを介した3Dモデルの作成です。 次のステップには、ビューポートレイアウトサンプルモデリング、マテリアルとマップ、詳細なモデリング、プロセスズーム機能による照明とバメラ、遠近法と正投影ビューポートコントロールの設定が含まれます。 
【００６３】
本考案のいくつかの他の実施形態では、リフティングシステムの動作を監視するためのシステムは、リフトに設置され、リフト車両のドアが開いているか閉じているかを検出する複数のドアセンサーをさらに備えてもよい。リフトのドアセンサがリフトのドアが開いていることを検出すると、ホイストブレーキまたはブレーキ手段のそれぞれがリフトカーを保持するように促される。 
【００６４】
本考案のいくつかの他の実施形態では、リフティングシステムの動作を監視するシステムは、複数の火災または煙センサーをさらに備え、複数の昇降シャフトに設置され、火災の存在を検出し、検出された信号を送信する建物施設火災の存在が検出されると、負荷制御ユニット8に信号を送る。火災警報システム;ここで、負荷制御ユニットは火災警報動作を自動的に開始します。そして、火災警報システムの動作は、火災検知信号が受信されたときにエレベータかごを安全階に移動させることを含む。 
【００６５】
本考案のいくつかの他の実施形態において、火災警報システムは、少なくとも１つのリフトシャフトの上方に位置する複数の換気ポートを含む。換気ポートの少なくとも１つは、太陽熱エネルギー交換窓とともに設置される。太陽熱エネルギー交換窓は、通常の状態ではエネルギー生成のために閉じられ、火災の存在が検出されると換気のために開かれる。 
【００６６】
本考案のいくつかの他の実施形態では、火災警報システムは、建物の階段および／または廊下に位置する複数のボタンをさらに含む。負荷制御ユニットは、火災警報システムの動作を開始するためにトリガーされます。そして、火災警報システムの動作は、ボタンの１つが押されたときに、エレベータかごをメインエントランスが位置する１階である安全階に移動することを含む。 
【００６７】
本考案のいくつかの他の実施形態では、リフティングシステムの動作を監視するシステムは、コントローラと統合された、電気、磁気、機械、光学、音響、触覚、機械、バイオアクチュエータなどのセンサまたは検出器をさらに含み得る。 3G / 4G / 5Gセルラー、NB-IoT、LoRa、Sigfoxなどのさまざまな通信技術を使用して、データを生成し、パターンを検出し、予測可能性を高め、 意思決定を改善し、さまざまな分野で通信を監視します。 
【００６８】
本考案のいくつかの他の実施形態では、リフティングシステムの動作を監視するためのシステムは、PLCやpoLineなどの電気ケーブルキャリア通信ネットワークとさらにインターフェースし、既存の電気ケーブルを通信媒体として使用して有線通信への投資を回避することができるシステムのコストを削減し、エネルギーを節約します。 
【００６９】
本考案のいくつかの他の実施形態では、リフティングシステムの動作を監視するシステムは、3D飛行時間（TOF）または同様の機能を備えた他のセンサー接続手段とさらに接続し、トラクションエレベータドアのクリアランス測定装置に対応して設計およびさまざまなシステムで機能分析を行います。 
【００７０】
本考案のいくつかの実施形態では、昇降システムの動作を監視するためのシステムは、昇降運動における無負荷および全負荷でのリフトバランス形式の動的公差解析モデリングに使用され得る。 さまざまな実行モードで、電気、磁気、化学機械、光学、音響、触覚、機械、バイオアクチュエータ、塩、酸などのさまざまなタイプの検出センサーを介して。
【００７１】
図2に戻ると、ロープおよび/またはケーブル上の負荷センサー4の使用、長距離有線/無線データ伝送デバイスと統合された負荷制御ユニット8により、監査人は効果的な監査プロセス、予測分析、および寿命の定量化を行うことができます検出された機器の。 プロセッサ9が負荷センサー4、負荷制御ユニット8、セルラーモジュール、およびSIMカード10の間で通信することにより、実質的な機械学習が実現されます。 リモートプロセッサ120およびコントロールセンター130への自動通信。 したがって、従来技術のように、エレベータ制御装置からエレベータ制御装置から負荷データを取得する必要はなく、したがって、本考案は、エレベータ制御装置からデータを取得することに基づく従来技術とはさらに進歩し、根本的に異なる。その。 
本考案において、通信モジュールは、国際移動加入者識別（ＩＭＳＩ）番号を安全に保存することを目的とする集積回路携帯メモリチップである加入者識別モジュール（ＳＩＭ）カード１０と接続され、その関連キーは識別および認証に使用される。モバイルテレフォニーデバイス（スマートフォンやコンピューターなど）の加入者。 したがって、本考案のリフティングシステムの動作を監視するシステムは、様々なタイプのリフトおよびエスカレーター/乗客コンベア、機械式駐車システム、および同様の機能装置に適用することができる。 
【００７２】
本考案のいくつかの実施形態では、リフティングシステムの動作を監視するシステムに情報および機械学習技術を適用して、スマートインターネットとインターフェースするスマートネットワークを形成することもできる、モノのスマートインターネット（IoT）、サービスのスマートインターネット（IoS）、あらゆるもののスマートインターネット（IoE）、車両のスマートインターネット（IoV）、ビッグデータ、および気象情報、予報、湿度などのデータを処理するためのハドープ...など、天文台から提供されます。 
モバイルデバイスを使用すると、スマートフォンアプリケーションを使用して、データインテリジェンス、マップ削減、結果整合性、予測分析を使用して、データフローとリモート保存場所を制御できます。 
このシステムは、ロープ/ケーブルの機械的特性の計算、中央データベースの維持および保護のためのソフトウェアプログラムをさらに含み得る。 そのような目的のためのいくつかの数式モデルと、異なる機能を処理するためのさまざまなアルゴリズムがあることを理解されたい。 一実施形態では、ロープ比２：１のリフト構築モデリングにおけるメインロープの疲労破壊に関する分析的研究のためのアルゴリズムを使用して、始動および加速中のロープの非線形リフト荷重の新しい同時手段を得る。 車のケージが最下層に駐車され、釣り合いおもりが上層に配置される総張力 と最大圧力点に関して、ロープへの負荷を計算するための確立された公式Fcは次のとおりです。 
Fc =（摩耗+ Q +ロープ+ケーブル）x（g + a）+合計j v / R0 
どこ、 摩耗はリフト5の重量です。 
Qは、リフト5の定格荷重（定格ハンドル容量）です。 
ロープはロープの重量です。 
jは、検出されたロープの滑車下計算の回転慣性です 
Wcableは、移動ケーブルの重量です。 
aは、リフト（ロープ）の加速を表します。 
gは重力による加速を表します。 
vは回転開始角度です。 
R0はトラクションシーブの半径です。 
【００７３】
本考案のいくつかの実施形態では、リフト５、釣り合いおもり６、電源７、および負荷制御ユニット８は、ロープ／ケーブルまたは同様のシステムを作るために必要な基本要素である。 このシ ステムは、弾性ばね緩衝器または調整可能な圧縮ばねを備えたロープおよび／またはケーブル懸架（デッドポイント）であり得る負荷支持および懸架手段をさらに含み得る。 したがって、プログラム可能な測定制御をインストールして、ロープセンサーからの信号を受信し、それらを使用可能なデータに変換して、簡単に見ることができる曲げおよびねじり荷重と比較して比較的大きな軸方向荷重などのロープの重要なパラメーターを測定できます。 さらに、曲げおよび引張応力、力およびトルクに関連する張力下のロープは、記録と報告書に従ってリアルタイムで監査および調整できます。 同様の力測定手段を使用して、次のパラメーターを取得できます。a）引張力、b）曲げサイクル数、c）曲げサイクルの修正、d）作業サイクル数、e）荷重シーケンス曲げ長さ、f）荷重ロードシーケンスごとの要素。 さらに、i）ロープ作業サイクル、ii）ドナンド力、iii）ロープ安全係数、iv）断線回数の破棄、v）最適など、ロープ駆動には5つの寸法制限があります（Feyrer（2007）を参照）。ロープ径など また、異なる負荷条件（無負荷、軽負荷または重負荷）のリフトの動的公差解析のために、リフト操作の異なる実行モードでの電力のリアルタイム測定を、センサーofの入力を介して実現できます... 。 図2に示す「Ν」 分析結果に基づいて、予防/予測メンテナンスをスケジュールできます。 特に、加速度の計算に関して、負荷の重み付け値を検出するための確立された式の1つは次のとおりです。 
ベクトルK =ベクトルN（G1 + G2）/ 2Q 
どこ： Kはリフトバランス係数です。 
Nはロープ比率です。 
G1は、リフト5とカウンターウェイト6の重量差からシステムの最大フィクション係数を引いた値をグリスします。 
G2は、リフト5とカウンターウェイト6の重量差にシステムの最大フィクション係数を加えたものです。 
Qは、リフト5の定格荷重（定格ハンドル容量）です。 
【００７４】
本考案のいくつかの実施形態では、リフティングシステムの動作を監視するためのシステムは、異なるクラスのセルラーモジュール、特定範囲のデュアルバンド、インターフェースモジュール、汎用入力を介して有線および/または無線通信システムにさらに接続されてもよい。 /output（GPIO）、インターネットプロトコルサポートプリンター、プロッター、および/または同様の機器により、責任者がリフト保守監査、概要実行モード、データ分析（記述的分析、診断分析、予測分析、規範的分析を含むが、これらに限定されない） ）;ここでは、ロープの曲げ、さらには駆動、離反、および破損がシーブ上でロービングされるロープおよび/またはケーブルの寿命を定量化する主要な要因であるため、同様の機能といくつかの分析を適用して、たとえば単純な曲げおよび逆曲げを計算できますリフト操作用。 有効なロープ張力Sをできるだけ正確に知る必要があるため、システムを使用してロープの曲げサイクル数を処理することができます。 
これ以上正確な情報が得られない場合、機器を持ち上げるための有効なロープ張力Sは、a）荷重Q、b）ベアリングワイヤロープの数nT、c）重力による加速度g、d）グローバルロープ力係数fsl、fs2、fs3およびfs4、負荷ガイダンスからの摩擦（滑りガイダンス、ロープ効率、平行ベアリングロープ、加速、減速、負荷速度など）、有効なロープ張力を計算する十分に確立された式、S、：-
S = Q X g / nT X fs1X fs2 X fs3X fs4 
【００７５】
本考案のいくつかの実施形態において、セキュリティを次のレベルにアップグレードするために、静止画像および／またはビデオ保存機能のイメージングシステムとインターフェースするデータベースも提供される。 高解像度（HD）品質のディスプレイと、より鮮明な画像表示がLCDアプリケーションを介して可能になります。 電話を介したユーザーおよび/または監査人の識別を可能にし、リアルタイムでの荷積みおよび荷降ろし操作などのリフト操作の信頼できる監査のために、任意のオブジェクトおよび/または人物の静止画像およびビデオの記録機能を提供します。コントローラーと統合された長距離ワイヤー/ワイヤレスデータ送信デバイスを備えた3Dカメラなど、さまざまなタイプの視覚および音声センサーが実装され、リフトシャフトを簡単に確認できるマルチ/独立したリモートレポートメンテナンス、監査および測定システムを形成します。コントローラは、汎用パケット無線サービス（GPRS）モジュール、wifi、Bluetooth（登録商標）、3G、4G（LTE）、5G、Z波、NFC、IEEE 802、15.4を含む制御インターフェース回路を含むことができ ます 、（Zigbee）、イーサネット（登録商標）インターフェイス回路、LoRa、Sigfox、ナローバンド（NB）-IoT、インターネットプロトコル（IP）シグナリングシステム-Advanced Intelligent Networks（AIN）システムなどに拡張。 
【００７６】
本考案のいくつかの実施形態では、地図データベースを提供することもでき、それにより、セルラーまたは通信および伝送システム（ＣＴＳ）はローカルシステムによってアクセスされる。 リフトの場所を特定する際に地理的およびその他の必要な情報を示す地図が表示されます。 マップデータベースは、Total Maintenance Management System（TMMS）にリンクできます。 これは、NosQL、言語、Web指向/ JSON、暗黙的スキームに関連するがこれらに限定されず、大量のデータ、結果整合性、オープンソースなどをサポートします。 システムはさらに3D飛行時間（TOF）または同様のセンサーと接続して、構造の柔軟性の範囲を拡大することができます。 また、フォールトコール記録、故障チェック、車の着陸チェック、ドアのクリアランスとレベリングの測定、リフト操作にアクセスすることによるロープの状態チェック、ガイドシューズの状況、ガイドレールの状況、トラクションシーブの状況、振動のリスクベースのモデルを採用する場合があります。 メソッドは、ロープサスペンションから通信し、通常荷重Q、車質量F、ワイヤロープタイプなどの詳細を入力します。 
公称強度R、ロープの直径d、曲げ回数N、ロープの曲げ長さL、牽引の直径Sheave Dt、たわみの直径SheaveDr、速度Vは、いくつかの数式モデルが適用できる予測分析に使用できます。一定の張力Sと単純な曲げサイクルの数、および埋め込みのための変動する張力と単純な曲げサイクルの組み合わせの数による変動する張力と曲げ： 
lg N = b0 +（b1 + b3 x lg D / d）x（lg S / d <2>-0.4 x lg R0 / 1770）+ b2 x lg D / d + lg fd + lg fC 
【００７７】
本考案のいくつかの実施形態では、リフティングシステムの動作を監視する方法が提供され、トレンド分析のために、ピーク時間および非ピーク時間にリフトおよびエスカレータ設置の診断モニタリングを行い、リフト電力を記録する。
【００７８】
本考案のいくつかの実施形態では、リフティングシステムの動作を監視する方法は、収集されたトレンドログデータを分析し、設計された特定の期間中のリフト電力消費を測定することを含み得る。 
設計された特定の期間中のリフト消費電力の比率がプロットされます。 この比率は、エネルギーを節約するために比較的高いことがわかったときに低下します。 回生電力は、一連の蓄電池バンクおよび/またはコンデンサを介して蓄えられます。 
【００７９】
本考案のいくつかの実施形態では、リフティングシステムの動作を監視する方法は、安全係数を高め、摩耗および裂け目を制限するために、巻き上げロープのロープ張力の不均一な設定による摩耗を最小限に抑え、保持されたシステムを利用することをさらに含み得る最適な調整が可能な乗車中に設定されたロープにさまざまな荷重分布があるエレベータ設置の場合。 
【００８０】
本考案のいくつかの実施形態では、リフティングシステムの動作を監視する方法は、制御されない動き、突然の落下、または遠隔監査による同様の苦情などのインシデントの調査をさらに含み得る。 走行環境と品質に関して、ロープまたはケーブルの寿命の計算では、応力、張力、サスペンション、振動、周波数、力の均等化などのパラメーターが考慮され、常に寿命が限られているロープまたはケーブルを交換できます故障のかなり前、および関連するすべてのロープやケーブルのデータに基づいた関連要素。 溝、シーブ、プーリー、ギア、シャフトなど、曲げやねじりの負荷に比べて比較的大きな軸方向の負荷に耐えるリフト装置の他の部品に関しては、データの収集をリフトから実行して、摩擦を克服することができますシャフト、プーリー、ガイドシューズなどの機械的効率（力係数fsi〜〜fs4）、および負荷ガイダンスからの摩擦により、最初に起動します。LMARは、摩擦の影響を受ける寿命とリフト操作のパフォーマンスも確実に予測できます。 
【００８１】
本考案のいくつかの実施形態では、リフティングシステムの動作を監視する方法は、負荷に加えて、移動する不均衡な負荷、電力の回生、および回生の貯蔵および再利用による電力消費への影響を測定することをさらに含むことができるエネルギー管理エンティティが、建物の電気負荷を監視、測定、制御できるように、電力。 この方法は、施設および建物の管理者がデータを収集して、（a）エネルギー管理システム（ISO 50001）、（b）環境に従って、サイト全体のエネルギー活動に関するより多くの情報に基づいた決定を行えるようにする計測、サブ計測、および監視機能をさらに提供します管理システム（ISO 14001）、（c）情報セキュリティ管理システム（ISO / IEC 27001）。 この方法は、排出量削減のための経済的インセンティブを提供することにより汚染を制御するための卸売電力価格市場ベースのアプローチでCO2キャップアンドトレード（C＆T）排出量取引プログラムを交換するために必要な柔軟性を備えた技術革新と経済成長の刺激にも使用できます特に気候変動を緩和するために、社会への最低コストを達成する。
【００８２】
本考案のいくつかの実施形態では、リフティングシステムの動作を監視する方法は、シャフト効率を定義する基本要素の合計を監査すること、リフト設置の品質を測定すること、および空力抵抗を通して散逸する動力を予測することをさらに含み得る（シャフト効率が高いほど、摩擦により消費されるエネルギーが低くなるという事実に基づいて、リフト操作中に生成される定格速度の2乗）。 
【００８３】
リフティングシステムの動作を監視するシステムと方法は、バーチャルリアリティ（VR）、拡張現実（AR）、複合現実（MR）、代替現実（SR）またはシネマティックリアリティ（CR）の技術と統合して、改善および最小化することができます。手動による監視と検査を必要とする既存の吊り上げシステムに関連するエラー、労働、安全の問題の影響。 
機械用のVR、AR、MRまたはSRベースのモバイルデバイスデモンストレーションシステムは、診断および保守の手順タスクに適用できます。 これは、サウンド、ビデオ、グラフィックス、GPSデータなどのコンピューター生成の感覚入力によって要素が増強（または補完）される物理的、現実世界の環境の直接または間接的なライブビューです。 このテクノロジーは、関連するツールによってユーザーが利用でき、ユーザーに機器とプロセスの貴重な追加情報を提供し、運用タスクの実行をガイドし、手作業なしで作業できるようにします。これにより、メンテナンスと監査レポートを迅速かつ安全に取得できます、リフトで作業するリスクを軽減します。 
【００８４】
これにより、独立した機械式ロープグリッパーとの連携が、無制限の自動車移動保護（UCMP）の停止要素として使用されます。 さらに、既存のLift Eプラットフォームのレポートシステムに焦点を合わせても、データ分析プロセス、深層学習、24時間から7日間のデータマイニングを提供できません。 一方、建物情報モデリングシステムをさらに適用および統合（BIM）することにより、施設の物理的および機能的特性のデジタル表現を実現できます。 エンタープライズリソースプランニング（ERP）、レトロコミッショニング（RCx）、エネルギー監査（EAC）で、構想から解体までのライフサイクル中に意思決定の信頼できる基礎を形成する施設に関する知識、リソース、および情報。 したがって、既存の建物の性能を定期的にチェックし、エネルギーを節約してコストを削減するための運用上の改善点を特定する、費用対効果の高い体系的なプロセスが提供されます。
【００８５】
いくつかの実施形態では、システムの検知モジュールは、建物の地理的構成データを収集するために建物の内外に設置された三次元空間測定センサをさらに備えてもよい。 いくつかの実施形態では、システムの検知モジュールは、火災スプリンクラーホースリトラクターデータを収集し、消火追跡データシステムを統合するためにデータをコントロールセンターに送信するための1つ以上の火災スプリンクラーホースリトラクターボタンをさらに備えてもよい。 
【００８６】
いくつかの実施形態では、システムの検知モジュールは、さらに、検知モジュールと通信し、建築設備のエネルギー消費を測定するためのエネルギー測定装置を備えてもよい。プロセッサは、エネルギー測定装置から建築設備のエネルギー消費データを受信するように構成される。建物設備の運用最適化計画を策定するために、建物のエネルギー消費モデルをシミュレートします。 
【００８７】
いくつかの実施形態では、システムの検知モジュールは、空気指数データを収集するために1つ以上の建物リフトシャフトの1つにそれぞれ設置された1つ以上の空気指数センサーをさらに備えてもよい。そして、エレベータ昇降路の疾病data延データを収集および監視し、疾病tracking延データを制御センターに送信して疾病data延データ追跡システムを統合するための1つまたは複数の微生物センサー。 
【００８８】
いくつかの実施形態では、システムの検知モジュールは、建物の廃棄物およびキッチンエネルギ ー貯蔵データを収集および監視し、データを制御センターに送信してゴミおよびキッチンを統合するための1つまたは複数のゴミおよびキッチンエネルギー貯蔵変換センサーをさらに備えてもよい。無駄なエネルギー貯蔵の追跡およびデータシステム。
【００８９】
いくつかの実施形態では、システムの検知モジュールは、さらに、ビルの回生エネルギーデータを収集および監視し、データを制御センターに送信して回生エネルギー貯蔵追跡およびデータシステムを統合するための1つまたは複数の回生エネルギーセンサーをさらに備えてもよい。 
【００９０】
いくつかの実施形態では、システムの検知モジュールは、さらに、ビルの回生エネルギーデータを収集および監視し、データを制御センターに送信して回生エネルギー貯蔵追跡およびデータシステムを統合するための1つまたは複数の回生エネルギーセンサーをさらに備えてもよい。 
【００９１】
いくつかの実施形態では、システムの検知モジュールは、建物の吸熱圧力層エネルギー貯蔵データを収集および監視し、吸熱圧力層を統合するためにデータを制御センターに送信するための1つ以上の吸熱圧力変換センサーをさらに備えてもよい。エネルギー貯蔵の追跡とデータシステム。 
【００９２】
いくつかの実施形態では、システムの検知モジュールは、建物の太陽熱吸収コーティングエネルギー貯蔵データを収集および監視し、太陽熱を統合するためにデータを制御センターに送信するための1つ以上の太陽熱吸収コーティング変換センサーをさらに備えてもよい。吸収コーティングエネルギー貯蔵追跡およびデータシステム。 
【００９３】
いくつかの実施形態では、システムの検知モジュールは、建物の電気めっきフィルム熱エネルギー吸収コーティングのエネルギー保存データを収集および監視し、統合のためにデータを制御センターに送信するための1つ以上の電気めっきフィルム熱エネルギー吸収コーティング変換センサーをさらに備えてもよい。電気めっき膜熱エネルギーコーティングエネルギー貯蔵追跡およびデータシステム。 
【００９４】
いくつかの実施形態では、システムの検知モジュールは、建物の陽極酸化皮膜熱エネルギー吸収 コーティングのエネルギー貯蔵データを収集および監視し、統合のためにデータを制御センターに送信するための1つ以上の陽極酸化皮膜熱エネルギー吸収コーティング変換センサーをさらに備えてもよい。陽極酸化皮膜エネルギー貯蔵追跡およびデータシステム。
【００９５】
いくつかの実施形態では、システムの検知モジュールは、建物の真空蒸着熱エネルギー吸収コーティングのエネルギー保存データを収集および監視し、統合のためにデータを制御センターに送信するための1つ以上の真空蒸着熱エネルギー吸収コーティング変換センサーをさらに備えてもよい。真空蒸着エネルギー貯蔵追跡およびデータシステム。 
【００９６】
いくつかの実施形態では、システムの検知モジュールは、建物の太陽エネルギー選択吸収コーティングのエネルギー貯蔵データを収集および監視し、太陽選択吸収コーティングを統合するためにデータを制御センターに送信するための1つ以上の太陽選択吸収コーティングセンサーをさらに備えてもよい。エネルギー貯蔵の追跡とデータシステム。 
【００９７】
一部の実施形態では、システムは、ＳＳＬまたはＨＴＭＬコンバージェンスによってクラウドサーバーにアクセスする中央装置、中央アクセスプラットフォーム（マスリンク）、およびインテリジェントシステムを形成する接続されたネットワークユーザーインターフェースをさらに備えてもよい。 
【００９８】
いくつかの実施形態では、システムは、エレベータのエレベータ昇降路内のエレベータ昇降路またはエレベータかごに設置され、エレベータかごまたは昇降路のビデオまたは画像をキャプチャするための1つまたは複数のカメラをさらに備えてもよい。エレベータかごを制御するためのエレベータ制御装置。機械式ロープグリッパーを含む意図しない車の動き保護（UCMP）ユニット。1つまたは複数のプロセッサは、カメラからリフト車またはリフトシャフトのキャプチャされたビデオまたは画像を受信するようにさらに構成される。受信したビデオまたは画像を処理し、人工知能を使用して、リフト車またはリフトシャフト内で発生する異常なインシデントを検出します。そして、１つ以上の異常な出来事が検出された場合、緊急通報を制御センターに送信し、緊急指示信号をエレベータ制御装置またはＵＣＭＰユニットに送信する。 
【００９９】
異常なインシデントには、次のものが含まれます。犯罪行為または致命的な事故が原因であると疑われる異常な人体の動きまたはジェスチャー。リフトドアの意図しない開閉。リフト車の動き の過速度;リフトカーの意図しない動き;リフト車に接続された吊り下げ手段のケーブルの破損。リフトカーの移動経路に1つ以上の障害物が存在する。また、エレベータ制御装置に送信される緊急指示信号には、次のうちのいずれかまたは組み合わせが含まれます。エレベータカーを安全フロアに移動する;リフトカーのアラームを作動させます。 
【０１００】
本明細書で開示される実施形態は、汎用または専用のコンピューティングデバイス、モバイル通信デバイス、コンピュータプロセッサ、またはデジタル信号プロセッサ（DSP）、特定用途向け集積回路（ASIC）、フィールドプログラマブルゲートアレイ（これらに限定されない）を含む電子回路を使用して実装することができますＦＰＧＡ）、および本開示の教示に従って構成またはプログラムされた他のプログラマブルロジックデバイス。 
本開示の教示に基づいて、ソフトウェアまたは電子技術の当業者は、汎用または専用コンピューティングデバイス、モバイル通信デバイス、コンピュータープロセッサ、またはプログラマブルロジックデバイスで実行されるコンピューター命令またはソフトウェアコードを容易に準備することができる。 
【０１０１】
いくつかの実施形態では、本考案は、コンピュータまたはマイクロプロセッサをプログラムして本考案のプロセスのいずれかを実行するのに使用できるコンピュータ命令またはソフトウェアコードを格納したコンピュータ記憶媒体を含む。ストレージメディアには、フロッピーディスク、光ディスク、Blu-ray（登録商標）ディスク、DVD、CD−ROM、光磁気ディスク、ROM、RAM、フラッシュメモリデバイス、または任意の種類のメディアまたはデバイスが含まれますが、これらに限定されません。命令、コード、および/またはデータの保存に適しています。 
【０１０２】
本考案の前述の説明は、例示および説明の目的で提供された。 網羅的であること、または開示された正確な形態に本考案を限定することは意図されていない。 当業者には多くの修正および変形が明らかであろう。 
【０１０３】
実施形態は、本考案の原理およびその実際の応用を最もよく説明するために選択および説明され、それにより、当業者は、様々な実施形態および考えられる特定の用途に適した様々な修正で本考案を理解できるようになる。 本考案の範囲は、添付の実用新案登録請求の範囲およびそれらの同等物によって定義されることが意図されている。
【図１】
0003233419.tif 000003
【図２】
0003233419.tif 000004
【図３】
0003233419.tif 000005
【図４】
0003233419.tif 000006
【図５】
0003233419.tif 000007
【手続補正書】
【提出日】令和2年12月17日(2020.12.17)
【手続補正１】
【補正対象書類名】実用新案登録請求の範囲
【補正対象項目名】全文
【補正方法】変更
【補正の内容】
【実用新案登録請求の範囲】
【請求項１】
１つまたは複数の建物施設のライフサイクル、メンテナンス、およびメトリックの監査を監視および報告するための対話型システムであって、
１つまたは複数の建物施設の操作データを収集するための検知モジュールと、
収集された操作データを受信して保存し、
収集された操作データを使用して、建物の建物情報モデル（ＢＩＭ）をシミュレートし、
収集された操作データを使用して、前記建物の３次元モデルを構築し、
収集された操作データを使用して、１つ以上の建物施設のライフサイクル、メンテナンス、およびメトリックの監査レポートを生成し、
前記建物の現在の二酸化炭素排出量を計算し、
前記建物の将来の二酸化炭素排出量を予測するよう構成された１つ以上のプロセッサと、
コントロールセンターと通信するために、それぞれが前記プロセッサの１つに電気的に接続された１つ以上の通信モジュールと、を備え、
前記コントロールセンターは、前記プロセッサ、並びに、自動、インテリジェント、およびリモートレポート再テスト（ＲＣｘ）のための１つ以上の追跡およびデータシステムにアクセスして、前記プロセッサおよび前記追跡およびデータシステムからデータを取得するための、１つ以上のネットワークユーザーインターフェイスを備える、対話型システム。
【請求項２】
前記検知モジュールは、建物の地理的構成データを収集するために、前記建物の内部および外部に設置された１つ以上の３次元空間測定センサをさらに含む、請求項１に記載の対話型システム。
【請求項３】
前記検知モジュールは、ケーブル張力プロファイルおよび前記建物のリフトの荷重を含むリフト操作データを収集するために、少なくとも１つの前記建物のリフトの吊り下げ手段にそれぞれ設置される１つまたは複数の負荷センサをさらに含む、請求項１に記載の対話型システム。
【請求項４】
前記検知モジュールは、少なくとも１つの前記建物のリフトの吊り下げ手段に設置され、それぞれのケーブルの負荷分布の均一性を決定するためのノイズデータを収集する１つ以上のノイズセンサをさらに含む、請求項１に記載の対話型システム。
【請求項５】
前記検知モジュールは、エレベータの運転データを収集するために、少なくとも１つの前記建物のリフトの吊り下げ手段にそれぞれ設置され、１人以上のユーザーと対話するとともに、現在の現実のビジョンと情報を強化するために、仮想現実（ＶＲ）、拡張現実（ＡＲ）、混合現実（ＭＲ）、代替現実（ＳＲ）または映画的現実（ＣＲ）テクノロジーを使用してメディアを組み合わせる１つ以上のエレベータセンサーをさらに含む、請求項１に記載の対話型システム。
【請求項６】
前記検知モジュールは、
火災の存在を検出し、火災の存在が検出されたとき火災検知信号を負荷制御ユニットに送信するために、１つ以上の建物リフトシャフトの１つにそれぞれ設置された１つ以上の火災または煙検出器と、
火災警報システムと、を含み、
火災警報システムの動作は、前記火災検知信号が受信されたときにリフトカーを安全フロアに移動することを含み、
火災警報システムは、前記リフトシャフトの上方に配置された１つ以上の換気ポートを備え、前記換気ポートは、火災の存在が検出されたときに開かれる、請求項１に記載の対話型システム。
【請求項７】
前記火災警報システムの動作が、前記リフトシャフトの下の水ポンプ、排水ポンプおよび下水ポンプ、火災ポンプのうちの１つ以上を動作させることをさらに含む、請求項６に記載の対話型システム。
【請求項８】
前記検知モジュールが、火災スプリンクラーホースリトラクターデータを収集し、前記データを制御センターに送信して、消火追跡およびデータシステムを統合するための１つまたは複数の火災スプリンクラーホースリトラクターボタンをさらに含む、請求項１に記載の対話型システム。
【請求項９】
検知モジュールと通信する、建物設備のエネルギー消費を測定するためのエネルギー測定装置をさらに備え、
前記プロセッサは、
前記エネルギー測定装置から建物設備のエネルギー消費データを受信し、
建物設備の運用最適化計画を策定するために、建物のエネルギー消費モデルをシミュレートする、請求項１に記載の対話型システム。
【請求項１０】
前記検知モジュールは、
空気指数データを収集するために、１つ以上の建物リフトシャフトの１つにそれぞれ設置された１つ以上空気指数センサと、
エレベータシャフトの疾病拡散データを収集および監視し、疾病拡散追跡およびデータシステムを統合するために疾病拡散データを制御センターに送信するための１つまたは複数の微生物センサと、を含む請求項１に記載の対話型システム。
【請求項１１】
前記建物施設の電力消費の電気および/または電圧を測定するために、それぞれが建物施設の１つの電力回路に設置された１つまたは複数の変圧器と、
前記建物施設の１つで再生された電気エネルギーを貯蔵するための１つ以上の電気貯蔵ステーションと、を含む請求項１に記載の対話型システム。
【請求項１２】
１つ以上の太陽光発電ユニットをさらに備え、
前記太陽光発電ユニットは、透明な太陽光発電材料でコーティングされ、前記電気貯蔵ステーションに電気的に接続された１つ以上の建物窓および建物ガラス壁を含む、請求項１１に記載の対話型システム。
【請求項１３】
１つ以上の太陽熱エネルギー交換ユニットをさらに備え、
前記太陽熱エネルギー交換ユニットは、透明な熱吸収材料でコーティングされ、熱電気変換層に接続された１つ以上の建物窓を含み、
前記熱電気変換層は、蓄電ステーションに電気的に接続された、前記コーティングされた建物窓上の圧電コーティングである、請求項１１に記載の対話型システム。
【請求項１４】
前記建物リフトシャフトの少なくとも１つの上方に位置する１つ以上の換気ポートを備える換気システムをさらに備え、
少なくとも１つの前記換気ポートには、１つ以上のコーティングされた建物窓が設置され、
換気口に設置された前記コーティングされた建物窓は、熱放散のために開かれる、請求項１２に記載の対話型システム。
【請求項１５】
前記建物リフトシャフトのうちの少なくとも１つの上方に位置する１つ以上の換気ポートを備える換気システムをさらに備え、
少なくとも１つの換気ポートには、１つ以上のコーティングされた建物窓が設置され、
換気口に設置された前記コーティングされた建物窓は、通常の状態ではリフトシャフトの熱からのエネルギー生成のために閉じられ、熱放散のために開かれる、請求項１３に記載の対話型システム。
【請求項１６】
前記１つ以上の太陽光発電ユニットによって生成された余剰電力は、配電網に再分配され、
余剰電力と現在の二酸化炭素排出量は炭素取引計算に使用される、請求項１４に記載の対話型システム。
【請求項１７】
前記１つ以上の太陽熱エネルギー交換ユニットによって生成された過剰な電力は、電力分配ネットワークに再分配され、
余剰電力と現在の二酸化炭素排出量は炭素取引計算に使用される、請求項１５に記載の対話型システム。
【請求項１８】
前記検知モジュールは、前記建物のごみおよびキッチンエネルギー貯蔵データを収集および監視し、前記データを前記コントロールセンターに送信して、ごみおよびキッチンごみエネルギー貯蔵の追跡およびデータシステムを統合するための１つ以上のごみおよびキッチンエネルギー貯蔵変換センサをさらに含む、請求項１に記載の対話型システム。
【請求項１９】
前記検知モジュールは、前記建物の再生エネルギーデータを収集および監視し、前記データを前記コントロールセンターに送信して再生エネルギー貯蔵追跡およびデータシステムを統合するための１つまたは複数の再生エネルギーセンサをさらに備える、請求項１に記載の対話型システム。
【請求項２０】
前記検知モジュールは、前記建物の吸熱圧力層エネルギー貯蔵データを収集および監視し、吸熱圧力層エネルギー貯蔵の追跡およびデータシステムを統合するために前記データを前記コントロールセンターに送信するための１つ以上の吸熱圧力変換センサをさらに備える、請求項１に記載の対話型システム。
【請求項２１】
前記検知モジュールは、前記建物の太陽熱吸収コーティングのエネルギー貯蔵データを収集および監視し、太陽熱吸収コーティングエネルギー貯蔵追跡およびデータシステムを統合するために前記データを前記コントロールセンターに送信するための１つ以上の太陽熱吸収コーティング変換センサをさらに含む、請求項１に記載の対話型システム。
【請求項２２】
前記検知モジュールは、前記建物の電気めっきフィルム熱エネルギー吸収コーティングエネルギー貯蔵データを収集および監視し、電気めっきフィルム熱エネルギーコーティングエネルギー貯蔵追跡およびデータシステム統合のために前記データを前記コントロールセンターに送信するための１つ以上の電気めっきフィルム熱エネルギー吸収コーティング変換センサをさらに含む、請求項１に記載の対話型システム。
【請求項２３】
前記検知モジュールは、前記建物の陽極酸化皮膜熱エネルギー吸収コーティングエネルギー貯蔵データを収集および監視し、陽極酸化皮膜エネルギー貯蔵追跡およびデータシステム統合のために前記データを前記コントロールセンターに送信するための１つ以上の陽極酸化皮膜熱エネルギー吸収コーティング変換センサをさらに含む、請求項１に記載の対話型システム。
【請求項２４】
前記検知モジュールは、前記建物の真空蒸着熱エネルギー吸収コーティングエネルギー保存データを収集および監視し、真空蒸着エネルギー貯蔵追跡およびデータシステム統合のために前記データを前記コントロールセンターに送信するための１つ以上の真空蒸着熱エネルギー吸収コーティング変換センサをさらに含む、請求項１に記載の対話型システム。
【請求項２５】
前記検知モジュールは、建物の太陽エネルギー選択吸収コーティングエネルギー蓄積データを収集および監視し、太陽選択吸収コーティングエネルギー貯蔵の追跡およびデータシステムを統合するために制御センターにデータを送信するための１つ以上の太陽選択吸収コーティングセンサをさらに含む、請求項１に記載の対話型システム。
【請求項２６】
エレベータのエレベータ昇降路内のエレベータ昇降路またはエレベータ昇降路に設置され、エレベータ昇降路または昇降路のビデオまたは画像をキャプチャするための１つまたは複数のカメラと、
リフトカーを制御するためのエレベータ制御装置と、
機械式ロープグリッパーを含む戸開走行保護（ＵＣＭＰ）ユニットと、をさらに備え、
前記１つ以上のプロセッサは、
前記カメラからリフトカーまたはリフトシャフトのキャプチャされたビデオまたは画像を受信し、
受信したビデオまたは画像を処理し、人工知能を使用して、リフトカーまたはリフトシャフト内で発生する異常なインシデントを検出し、
１つ以上の異常なインシデントが検出された場合、緊急通報を制御センターに送信し、緊急指示信号をエレベータ制御装置またはＵＣＭＰユニットに送信する、請求項１に記載の対話型システム。
【請求項２７】
前記異常なインシデントは、犯罪行為または致命的な事故によって引き起こされると疑われる異常な人体の動きまたはジェスチャー、リフトドアの意図しない開閉、前記リフトカーの動きの過速度、前記リフトカーの意図しない動き、前記リフトカーに接続された吊り下げ手段のケーブルの破損、前記リフトカーの移動経路に１つ以上の障害物が存在する、を含み、
前記エレベータ制御装置に送信される前記緊急指示信号には、前記ＵＣＭＰユニットを使用して前記リフトカーを直ちに停止すること、前記リフトカーを安全フロアに移動すること、および、前記リフトカーのアラームを作動させることのいずれか、または組み合わせが含まれる、請求項２６に記載の対話型システム。
【請求項２８】
前記ＢＩＭは、前記建物の物理的および機能的特性の表現を提供して、性能および運用改善に関する意思決定を容易にする、請求項１に記載の対話型システム。
【請求項２９】
ＳＳＬまたはＨＴＭＬコンバージェンスによりクラウドサーバーにアクセスするための中央装置、中央アクセスプラットフォーム（マスリンク）、およびインテリジェントシステムを形成する接続されたネットワークユーザーインターフェイスをさらに備える、請求項１に記載の対話型システム。
【請求項３０】
エレベータを監視および制御するためのインテリジェントシステムであって、
リフトカーまたはリフトシャフトの映像または画像を捕捉するために、前記エレベータのリフトカーまたはリフトシャフトに設置された１以上のカメラと、
前記カメラから前記リフトカーまたはリフトシャフトの前記捕捉された映像または画像を受信し、
受信した映像または画像を処理し、
前記リフトカーのリフト移動速度を測定し、
乗客の流れを予測し、
人工知能を使用して、前記リフトカーまたは前記リフトシャフト内で発生する異常なインシデントを検出するように構成されたプロセッサと、
リフトカーを制御するためのエレベータ制御装置と、
機械式ロープグリッパーを含む戸開走行保護（ＵＣＭＰ）ユニットと、を備え、
前記プロセッサは、１つ以上の異常なインシデントが検出された場合に、緊急通報を制御センターに送信し、緊急指示信号を前記制御装置またはＵＣＭＰユニットに送信するように構成される、インテリジェントシステム。
【請求項３１】
前記異常なインシデントは、犯罪行為または致命的な事故によって引き起こされると疑われる異常な人体の動きまたはジェスチャー、リフトドアの意図しない開閉、前記リフトカーの動きの過速度、前記リフトカーの意図しない動き、前記リフトカーに接続された吊り下げ手段のケーブルの破損、前記リフトカーの移動経路に１つ以上の障害物が存在する、のいずれかを含み、
前記エレベータ制御装置に送信される緊急指示信号には、前記ＵＣＭＰユニットで前記リフトカーをすぐに停止すること、前記リフトカーを安全フロアに移動すること、前記リフトカーのアラームを作動させることのいずれか、または組み合わせを含む、請求項３０に記載のインテリジェントシステム。
【手続補正２】
【補正対象書類名】明細書
【補正対象項目名】全文
【補正方法】変更
【補正の内容】
【考案の詳細な説明】
【技術分野】
【０００１】
関連アプリケーションへの相互参照：
本出願は、２０１７年７月１８日に出願された香港短期特許出願第１７１０７２２３．５号の優先権を主張します。２０１７年７月１８日に出願された香港短期特許出願番号１７１１００６７．８および２０１７年１０月１６日に出願された欧州特許出願番号１７１９６７１９．３。その開示は、参照によりその全体が本明細書に組み込まれる。
本考案は、吊り上げシステムなどの建築設備の状態を監視するための管理、監視、および報告システムに関する。さらに、本考案は、リフトメンテナンスおよび測定監査レポート（ＬＭＡＲ）のためのリフティングシステムのライフサイクルの推定に関する。
【０００２】
今日、建物のエネルギー効率を改善することは「主要なタスク」になっています。建築家、エンジニア、計画立案者、開発者、および建築者は、暖房、空調、照明などのさまざまな機能を備えた施設で、エネルギー消費量がはるかに少ない「パッシブ」で低エネルギーの建物を提案しています。消費するよりも多くのエネルギーを生成する「エネルギーにやさしい」建物を提案することはさらに進むかもしれません。この傾向は、個々の家屋から住宅団地、産業会館から行政用建物まで、あらゆる種類の建築物で明らかです。エネルギーの高騰は、この急速な進化の主な理由です。さらに、気候変動に関する議論によってもたらされた意識の高まりと、化石燃料が時間内に制限されているという認識が、それを建設部門の主要な優先事項にしています。地球温暖化の原因である二酸化炭素ＣＯ２の濃度は、産業革命以前から４０パーセント以上増加しています。このような増加は主に化石燃料の燃焼によるものであり、二次的に森林破壊によるものです。現在の集中度は、過去８０万年間で最高です。持続可能な未来のために私たちが抱える最も困難な課題の１つは、原材料の消費を削減することです。
【０００３】
人々が建物に複数のフロアを持っているとき以来、彼らは垂直運動のいくつかのフォームを考慮しなければなりません。重力を克服するための毎日の戦いは、人々を様々な技術を探究し開発するようにしました。建物では、吊り上げシステム用のロープシステムを作成するために必要な基本要素は、荷重支持、吊り下げ手段（ロープなど）、および高い位置にある吊り上げ機です。オーバーヘッド、ボトムドライブ、シングルラップ、ダブルラップ、補償ロープの有無など、ロープシステムにはさまざまなレイアウトがあります。
【０００４】
リフティングシステムでは、リフトは通常、シーブ上でロービングされ、反対側で釣り合いおもりに取り付けられた多数のロープおよび/またはケーブルに取り付けられます。シーブ上をロービングするときのロープおよび/またはケーブル張力の不均一性は、いくつかのコストと安全性の問題を引き起こす可能性があります。実際、従来の手段によってロープ張力の摩耗を最小限に抑える設定を行うことはほとんど不可能です。張力をかける方法については、たとえ作業者が各ロープの張力を測定できたとしても、設定は試行錯誤によって行われます。作業者は、各ロープを少しずつ数回締めたり緩めたりすることで、各ロープの張力が設定されるように、最適なロープ調整を感知してアプローチします。このロープの設定手順には多くの時間がかかります。リフトの設置中、乗車中に設定されたロープのさまざまな荷重分布は、理想的なロープ張力を特徴とするものと見なすことができます。ロープの荷重はドライブで測定し、センサースイートで表示および評価できます。その結果、ユーザーは最適なロープ張力値を受け取って実行し、個々のロープ張力によって引き起こされるロープの可能な限り小さな摩耗を得ることができます。ロープセットの荷重分布は時間とともに変化する可能性があるため、ロープセットを定期的に確認する必要があります。トラクションリフトの設計者が慎重に評価する必要のある問題の１つは、リフト指令（Lifts Directive）９５／１６／ＥＣの１．４．４条に規定されている、トラクションシーブのプーリー溝内のロープのトラクションの損失または過剰に起因する、リフトカーの制御されない動きです。
【考案の概要】
【０００５】
本考案の目的の１つは、昇降システムの保守および監査のためのインテリジェントな自動遠隔システムを提供することである。インテリジェント自動リモートシステムは、１つまたは複数の制御プロセスを実行することにより、昇降システムの許容可能な環境条件を維持するために使用できます。リフティングシステムはハードウェア集約型であるため、初期インストールとメンテナンスのコストがかなり高くなる可能性があります。また、リフティングシステムの進行中の動作には、パフォーマンスの不正確さ、機械的摩耗、および柔軟性の問題があります。インテリジェントな自動リモートシステムを導入すると、エレベータの故障時間を最小限に抑えることができます。また、メンテナンス時間と修復時間を最小限に抑えることができます。
【０００６】
本考案の一態様によれば、１つまたは複数のリフトと１つまたは複数のカウンターウェイトを含むリフティングシステムの動作を監視するシステムであって、張力プロファイル、電力消費、およびリフトの負荷を含むリフト動作データを収集するためのサスペンション手段またはリフト装置上にそれぞれ配置される１以上の負荷センサを備え、サスペンション手段は、１つまたは複数のロープ、ケーブル、および１つまたは複数のトラッキングプーリーを含み、リフトの動きを制御する負荷制御ユニットと、負荷制御ユニットに電気的に接続され、サスペンション手段の負荷分散とリフトの電力消費を最適化する最適化プロセスを実行するように構成されたプロセッサと、リフト操作データを受信して保存するように構成された１つ以上のリモートプロセッサと、リモートプロセッサおよびコントロールセンターと通信するための、プロセッサに電気的に接続された通信モジュールと、リモートプロセッサからのデータにアクセスして取得するための、１つ以上のネットワークユーザーインターフェイスを備えたコントロールセンターと、を備えるシステムが提供される。負荷センサによって生成された操作データは、リモートプロセッサに送信され、リモートプロセッサによって収集されます。リモートプロセッサはさらに、吊り上げシステムの吊り上げ手段または吊り上げ装置の過剰な摩耗およびロープおよびケーブルの疲労を含む異常な動作の検出のために収集された動作データを分析するように構成される。そして、リモートプロセッサは、収集された動作データからリフトメンテナンスおよび測定監査レポート（ＬＭＡＲ）を生成するようにさらに構成されている。
【０００７】
一実施形態によれば、前述のシステムは、サスペンション手段内のケーブルの負荷分布の均一性を判定するためのノイズデータを収集するための複数のノイズセンサをさらに備える。負荷センサの少なくとも１つは、リフト操作データを負荷制御ユニットに送信するための有線または無線送信機と統合されている。ノイズセンサの少なくとも１つは、ノイズデータを負荷制御ユニットに送信するための有線または無線送信機と統合されている。そして、負荷制御ユニットは、負荷センサからリフト操作データを受信し、監査制御のためにリモートプロセッサにデータ信号を送信するための有線または無線トランシーバと統合されている。
【０００８】
別の実施形態によれば、前述のシステムは、さらに、リフトの動きを作動させるための１つ以上の電気駆動装置と、負荷センサによって測定された昇降システムの消費電力に応じて電気駆動装置に電流を割り当てるための、モーター制御パネルと電源の間にそれぞれ設置された１つ以上の絶縁スイッチと、それぞれが分離スイッチの１つに接続され、リフト車両および/または釣り合いおもりの移動中に再生される電気エネルギーを保存し、保存された電気エネルギーをリフティングシステムまたは配電ネットワークに供給する１つ以上の回生エネルギー保存アセンブリと、をさらに備える。
【０００９】
別の実施形態によれば、前述のシステムは、リフトの動きおよび乗客の流れをキャプチャして、リフトカーのフライトをシミュレートするための１つまたは複数のカメラと、リフトのドアが開いているか閉じているかを検出するために、それぞれがリフトの１つに設置された１つ以上のドアセンサと、昇降機ブレーキおよび制動手段と、をさらに備え、昇降機のドアセンサが昇降機のドアが開いていることを検出すると、昇降機ブレーキまたは制動手段のそれぞれがリフトカーを保持するように促される。建物の床が複数のストップのクラスターに分割され、それぞれが１つまたは複数のリフトカーによって処理されるリフトゾーニングを配置するためのリフトカーのフライトのシミュレーション。
【００１０】
別の実施形態によれば、前述のシステムは、火災の存在を検出したとき、火災検知信号を負荷制御ユニットに送信するために、それぞれが１つ以上の昇降シャフトおよび建物施設の１つに設置された１つ以上の火災または煙探知器と、火災警報システムとをさらに備え、負荷制御ユニットは火災警報動作を自動的に開始し、火災警報システムの動作は、火災検知信号が受信されたときにリフトカーを安全階に移動させることを含む。
【００１１】
別の実施形態によれば、前述の火災警報システムは、リフトシャフトの少なくとも１つの上方に配置された１つ以上の換気ポートを備える。換気ポートの少なくとも１つに太陽熱エネルギー交換窓が設置されています。太陽熱エネルギー交換窓は、通常の状態ではエネルギー生成のために閉じられ、火災の存在が検出されると換気のために開かれる。
【００１２】
本考案の別の態様によれば、１つ以上の建物施設のライフサイクル、保守、およびメトリック監査を監視および報告するシステムであって、１つ以上の建物施設の操作データを収集するための１つ以上の検知モジュールと、収集された操作データを受信して保存し、収集された操作データを使用して、建物の建物情報モデル（ＢＩＭ）をシミュレートし、収集された操作データを使用して、１つ以上の建物施設のライフサイクル、メンテナンス、およびメトリックの監査レポートを生成し、建物の現在の二酸化炭素排出量を計算しし、建物の将来の二酸化炭素排出量を予測するように構成された１つ以上のプロセッサと、を備え、ＢＩＭは建物の物理的および機能的特性の表現を提供し、パフォーマンスと運用の改善に関する意思決定を促進するシステムが提供される。
【００１３】
一実施形態によれば、前述の検知モジュールは、ケーブル張力プロファイルおよびリフトの荷重を含むリフト動作データを収集するために、建物のリフトの少なくとも１つのサスペンション手段にそれぞれ設置された１つ以上の荷重センサと、建物施設の電力消費量の電気および/または電圧を測定するために、それぞれが建物施設の電力回路に設置された１つまたは複数の変圧器と、火災の有無を検出し、火災の存在が検出されたときに負荷制御ユニットに火災検出信号を送信するための、１つ以上の建物の昇降シャフトの１つにそれぞれ設置された１つ以上の火災または煙探知器と、を含む。
【００１４】
別の実施形態によれば、前述のシステムは、リフトシャフトの上方に位置する１つ以上の換気ポートを含む火災警報システムをさらに備え、火災の存在が検出されると換気ポートが開かれる。火災警報システムの動作は、火災検知信号が受信されたときにリフトを安全フロアに移動し、リフトシャフトの下にある１つ以上の水ポンプ、排水ポンプ、下水ポンプ、消火ポンプを操作することを含みます。
【００１５】
別の実施形態によれば、前述のシステムは、１つ以上の太陽光発電ユニットをさらに備える。太陽光発電ユニットは、透明な太陽光発電材料でコーティングされ、電気貯蔵ステーションに電気的に接続された１つ以上の建物の窓と建物のガラス壁を含む。前記システムは、少なくとも１つの建物リフトシャフトの上方に位置する１つ以上の換気ポートを備える換気システムをさらに備える。少なくとも１つの換気ポートには、１つ以上のコーティングされた建物の窓が設置されている。そして、換気口に設置されたコーティングされた建物の窓は、熱放散のために開かれる。そして、１つ以上の太陽光発電ユニットによって生成された余剰電力は、配電網に再分配される。そして、余剰電力と現在の二酸化炭素排出量は炭素取引計算に使用されます。
【００１６】
別の実施形態によれば、前述のシステムは、透明な熱吸収材料で被覆され、熱電気変換層に接続された１つ以上の建物窓を含む１つ以上の太陽熱エネルギー交換ユニットをさらに備える。ここで、熱電気変換層は、蓄電ステーションに電気的に接続されたコーティングされた建物の窓上の圧電コーティングである。前記システムは、建物リフトシャフトの少なくとも１つの上方に位置する１つ以上の換気ポートを備える換気システムをさらに備える。少なくとも１つの換気ポートには、１つ以上のコーティングされた建物の窓が設置されている。換気口に設置されたコーティングされた建物の窓は、通常の状態ではリフトシャフトの熱からのエネルギー生成のために閉じられ、熱放散のために開かれます。そして、１つ以上の太陽光発電ユニットによって生成された余剰電力は、配電網に再分配される。そして、余剰電力と現在の二酸化炭素排出量は炭素取引計算に使用されます。
【図面の簡単な説明】
【００１７】
本考案の解決すべき問題は、本明細書で以下に与えられる以下の説明および例示のみのために与えられ、したがって本考案を限定するものではない添付図面を考慮すると明らかになるであろう。
図面では、いくつかの図を通して同様の参照が同様の要素を描写している：
【図１】図１は、インテリジェント自動遠隔システムの一実施形態のデータ操作および構成によるブロック図である。
【図２】図２は、インテリジェント自動遠隔システムの一実施形態の例示的なブロック図である。
【図３】図３は、インテリジェント自動遠隔システムの一実施形態におけるリフティングシステムの異なる走行モードを示す説明図である。
【図４】図４は、インテリジェント自動遠隔システムの一実施形態における隔離スイッチの接続を示す説明図である。そして
【図５】図５は、リフティングシステムの異なる走行モードでのインテリジェント自動遠隔システムの一実施形態における電力回生およびデータ統合を示す説明図である。
【考案を実施するための形態】
【００１８】
本考案のいくつかの実施形態では、１つ以上の建物施設のライフサイクル、保守、およびメトリック監査を監視および報告するためのシステムであって、１つ以上の建物施設の操作データを収集するための１つ以上の検知モジュールと、収集された操作データを受信して保存し、収集された操作データを使用して、建物の建物情報モデル（ＢＩＭ）をシミュレートし、建物の３次元モデルを構築し、収集された運用データを使用して、１つ以上の建物施設のライフサイクル、メンテナンス、およびメトリックの監査レポートを生成し、建物の現在の二酸化炭素排出量を計算し、建物の将来の二酸化炭素排出量を予測するように構成された１つ以上のプロセッサと、コントロールセンターと通信するために、それぞれがプロセッサの１つに電気的に接続された１つ以上の通信モジュールと、を備え、コントロールセンターは、プロセッサからのデータにアクセスして検索するための、１つ以上のネットワーク化されたユーザーインターフェースを含み、ＢＩＭは建物の物理的および機能的特性の表現を提供し、パフォーマンスと運用の改善に関する意思決定を促進するシステムが提供される。
【００１９】
本考案の他のいくつかの実施形態では、前述の検知モジュールは、ケーブル張力プロファイルおよびリフトの荷重を含むリフト動作データを収集するために、建物のリフトの少なくとも１つのサスペンション手段にそれぞれ設置される１つまたは複数の荷重センサと、建物施設の電力消費量の電気および/または電圧を測定するために、それぞれが建物施設の電力回路に設置された１つまたは複数の変圧器と、火災の有無を検出し、火災の存在が検出されたときに負荷制御ユニットに火災検出信号を送信するための、１つ以上の建物の昇降シャフトの１つにそれぞれ設置された１つ以上の火災または煙探知器と、を含む。
【００２０】
本考案のいくつかの他の実施形態では、１つまたは複数の建築施設のライフサイクル、メンテナンス、およびメトリック監査を監視および報告するシステムは、リフトシャフトの上に位置する１つまたは複数の換気ポートを含む火災警報システムをさらに備えてもよい。火災の存在が検出されると、換気ポートが開かれます。火災警報システムの動作は、火災検知信号を受信したときに、メインの入り口が位置する１階となる安全階にリフトを移動すること、および、１つ以上の水ポンプ、排水ポンプ、下水ポンプ、リフトシャフトの下の消防ポンプを操作することを含む。
【００２１】
本考案のいくつかの実施形態では、１つ以上の建物施設のライフサイクル、メンテナンス、およびメトリック監査を監視および報告するシステムは、建物施設の電力消費の電気および/または電圧を測定するために、それぞれが建物施設の１つの電力回路に設置された１つ以上の変圧器と、建物施設の１つで再生された電気エネルギーを貯蔵するための１つ以上の電気貯蔵ステーションと、エネルギー消費をさらに削減し、エネルギーゲインを効果的に高めるために、電気エネルギーを生成および保存する１つ以上の太陽光発電および熱交換発電ユニットと、をさらに備えてもよい。一部の既存の建物では、大量のエネルギーが消費されます。煙突効果の下で、坑井チャネル内の空気は加熱された後に上昇し、リフトシャフトの上部の開口部から建物の外に拡散します。システムは、窓（またはブラインド）と太陽光発電/熱交換発電ユニットで構成されたリフトシャフトの上部に開口部をさらに備え、熱エネルギーの排出、換気、エネルギー収集を促進します。例えば、光起電発電機は、リフトシャフトでの発電に太陽エネルギーを使用できるように、リフトシャフト上の建物の窓ガラスの表面に透明なエネルギー変換コーティングを備えてもよい。太陽光エネルギー変換コーティングにより、リフトシャフトは電気エネルギーの貯蔵ステーションになります。
【００２２】
上記の透明なエネルギー変換コーティングは、元々の熱吸収性の窓ガラスまたは同様の材料を発電装置に変換して太陽エネルギーと熱を介して電気を生成できるように、ガラスまたはプラスチックの表面に塗布することができる。
【００２３】
高圧高温処理により、透明なエネルギー変換コーティングは、ガラスリフトシャフトの熱吸収層として使用できます。適用可能な太陽エネルギー熱吸収コーティングは、電気めっき、陽極酸化めっき、または真空蒸着技術によって堆積させることができます。このような技術は、ドローン、無人飛行車両、リモートデータベースサービスなどの用途で、エネルギーの貯蔵とリサイクルに広く採用されています。
【００２４】
本考案のいくつかの他の実施形態では、１つ以上の建物施設のライフサイクル、メンテナンス、およびメトリック監査を監視および報告するシステムは、１つ以上の太陽光発電ユニットをさらに備えてもよい。太陽光発電ユニットは、透明な太陽光発電材料でコーティングされ、電気貯蔵ステーションに電気的に接続された１つ以上の建物の窓と建物のガラス壁を含む。前記システムは、建物の昇降シャフトの少なくとも１つの上に配置された１つ以上の換気ポートを含む換気システムをさらに備える。少なくとも１つの換気ポートには、１つ以上のコーティングされた建物の窓が設置されている。そして、換気口に設置されたコーティングされた建物の窓は、熱放散のために開かれる。そして、１つ以上の太陽光発電ユニットによって生成された余剰電力は、配電網に再分配される。そして、余剰電力と現在の二酸化炭素排出量は炭素取引計算に使用されます。
【００２５】
本考案の他のいくつかの実施形態では、１つ以上の建築設備のライフサイクル、メンテナンス、およびメトリック監査を監視および報告するシステムは、透明熱吸収材料でコーティングされ、熱電気変換層に接続された１つ以上の建物窓を含む１つ以上の太陽熱エネルギー交換ユニットをさらに備えてもよい。ここで、熱電変換層は、蓄電ステーションに電気的に接続されたコーティングされた建物の窓上の圧電コーティングである。前記システムは、建物リフトシャフトの少なくとも１つの上方に位置する１つ以上の換気ポートを備える換気システムをさらに備える。少なくとも１つの換気ポートには、１つ以上のコーティングされた建物の窓が設置されている。換気口に設置されたコーティングされた建物の窓は、通常の状態ではリフトシャフトの熱からのエネルギー生成のために閉じられ、熱放散のために開かれます。そして、１つ以上の太陽光発電ユニットによって生成された余剰電力は、配電網に再分配される。そして、余剰電力と現在の二酸化炭素排出量は炭素取引計算に使用されます。
【００２６】
軟磁性材料（例えば、Ｇｄ）のような、太陽光発電の無人飛行車両を製造するための主要材料またはポリフッ化ビニリデン（ＰＶＤＦ）圧電コーティングは、無駄な熱エネルギーを収集および貯蔵するために、前述の太陽熱エネルギー交換ユニットで使用されてもよい。より小さな熱勾配では、機械的振動を獲得した後、そのような無駄な熱エネルギーは使用可能な電気エネルギーに変換されます。また、熱勾配が小さいため、熱伝達効率が高くなります。
【００２７】
本考案のいくつかの実施形態では、前述の太陽熱エネルギー交換ユニットは、ガドリニウム（Ｇｄ）などの軟磁性材料およびネオジム（Ｎｄ）などの硬磁性材料で作られてもよい。動作中、過剰な熱が熱拡散器に入り、減衰接続された軟磁性材料が蓄熱装置と接触し、太陽エネルギー統合モジュールが熱源によって生成された熱エネルギーを吸収し、使用可能な電気エネルギーに変換します。前記蓄熱装置は、換気ポートに接続されているリフトシャフトおよび熱源の上部近くに配置されている。高電位と低電位によって駆動されると、磁気振動が発生し、軟磁性体の相が強磁性状態から常磁性状態へ、そして常磁性状態から強磁性状態へと変化します。そのような圧電効果による機械的エネルギーは、電気エネルギーに変換されます。一方、熱源で発生した熱エネルギーは、熱拡散器に拡散した後、軟磁性材料を通して放散されます。次に、ソフトマグネットが強磁性状態に戻り、磁力が強化され、ハードマグネットの作用により、サスペンションアームが連続的に機械的に変形し、生成された機械的エネルギーが圧電効果により電気エネルギーに変換されます。
【００２８】
本考案のいくつかの実施形態では、１つ以上の建物施設のライフサイクル、メンテナンス、およびメトリック監査を監視および報告するシステムの各コンポーネントに、インターネットアクセス用のＩＰアドレスが割り当てられ、包括的な建物監視、制御システムが実現される。水ポンプ、排水ポンプ、下水ポンプ、リフトシャフトの下にある消火ポンプとの通信により、火災警報システムの操作を容易にします。
【００２９】
本考案のいくつかの実施形態では、１つまたは複数の建物施設のライフサイクル、メンテナンス、およびメトリック監査を監視および報告するシステムは、電源および/または電力線搬送装置に接続されたさまざまな配線による有線／無線データ伝送を介したインテリジェンスリモートストレージおよびスマートネットワークシステムで確立することができる。スマートネットワークシステムは、関連する機器とインテリジェンスリモートストレージとの間で、ロープの張力均等化、荷重の重み付け、始動、停止の不規則性などの情報の伝送を実現し、ＣＣＴＶシステムとのインターフェースにより、バランスの取れた負荷、過負荷、無負荷、全負荷、ピーク時間、および同様のデータ間の比率を記録し、負荷および除荷条件下でのリフト電力計測、電力計測とのインターフェイスによる乗り心地、電源およびメーターと連動するリフトの異なる走行モードで使用される回生電力の蓄積を監視し、電源とメーターとのインターフェースにより、乗客とリフト装置を過負荷と過牽引から保護し、電力メーターとのインターフェイスにより、各フロアを離れるとき、または着陸するときの健康動作を保証するために電力を事前にチェックし、機器の安全コンプライアンスを監査し、遠隔検査と測定、保守と調整の品質、遠隔監視システムとのインターフェースによる目視検査により重要な部品を検査し、完全なキャブでのホールコールを無視するか、ビルモデルシステム（ＢＭＳ）とのインターフェースにより、空のカーでのカーコール、スキャン、アナライザー、およびロガーシステムを無視することにより、エレベータ操作を最大化します。ＬＭＡＲは、特定のユーザーのみを許可するプライベートネットワークで運用できます。これは、電力、エネルギー、および保守コスト管理（ＰＥＭＣＣ）とともにＴＭＭＳへの変更リンクに関連付けられています。さらに、システムは定期保守計画の監査に役立ちます。リスクベースのモデルには、最終検査の年齢と時間が含まれます。リフト操作監査レポートを建物管理の記録と比較します。言語を介したクラウド＆フォグコンピューティングにより、リフトレベルをリアルタイムで監査して、センサーレベルでの分析範囲を拡大できます。ここで、フォグコンピューティングは追加の分散レイヤー（保存、分析、および動作）を提供し、クラウドは高速でアクセス可能な柔軟なストレージシステムとして機能します。ＳＳＤとメモリ内ＤＢに加えて、メモリに直接保存されたデータに関連するストレージ、混合ストレージアーキテクチャ（ハイブリッドデータベース）は、ＩＯ/秒の観点から安価です。
【００３０】
本考案のいくつかの実施形態では、１つ以上の建築施設のライフサイクル、メンテナンス、およびメトリック監査を監視および報告する方法は、温度、湿度、気流、煙道ガス、屋内空気質（ＩＡＱ）、発光エミッタンス（ルクス単位）、オープンソースに基づく、リレーショナルデータベース管理システム（ＲＤＢＭＳ）、総所有コスト（ＴＣＯ）、追加センサ、ビジョンシステム、ＩｏＴ、ＩｏＳなどといった、建築施設の基本要素の最適化などの生産的で費用対効果の高い環境で提供される。システムは、決定可能なメンテナンス、漏水損傷、アデノシン三リン酸（ATP）テスト、音と熱のテストに関するロープ交換データを記録することもできます。リフトデータを取得するための独立した手段は、リフトが古いバージョンであるか新しい世代のモデルであるかに関係なく、異なるモデルまたは異なるブランドで構成されたいくつかのシステムに実装されます。ＢＩＭ、ＡＲ、人工知能（ＡＩ）、マシンツーマシン（Ｍ２Ｍ）ネットワーク、仮想プライベートネットワーク（ＶＰＮ）に関するロープおよび/またはケーブル構造インターフェースの国際規格では、いくつかのインターフェース構造を実装できます。たとえば、ＶＰＮネットワークを使用してＭ２Ｍネットワークを開発できます。この目的にはシンプルなデータＳＩＭカードが使用され、通常のコストが抑えられます。
【００３１】
本考案のいくつかの実施形態では、１つ以上の建物施設のライフサイクル、保守、およびメトリック監査を監視および報告する方法は、１つ以上の感知モジュールで、１つ以上の建物施設の動作データを収集することと、収集された操作データを１つ以上のプロセッサで受信および保存することと、収集された操作データを使用して、建物の建物情報モデル（ＢＩＭ）をプロセッサでシミュレートすることと、収集された操作データを使用して、１つまたは複数の建物施設のライフサイクル、メンテナンス、およびメトリックの監査レポートをプロセッサで生成することと、プロセッサを使用して、建物の現在の二酸化炭素排出量を計算することと、プロセッサを使用して、建物の将来の二酸化炭素排出量を予測することと、プロセッサおよび制御センターと通信するために、プロセッサの１つにそれぞれ接続された１つまたは複数の通信モジュールと通信することと、を含む。
【００３２】
本考案のいくつかの実施形態では、１つ以上の建築設備のライフサイクル、保守、およびメトリック監査を監視および報告する方法は、計量することにより、建築設計モデル（ＢＤＭ）に基づいてエネルギー効率改善を達成することをさらに含み得る。図３に示すように、リフトの消費電力を測定し、建物の消費電力と負荷を測定して、省エネのスキームを実行します。
【００３３】
本考案のいくつかの実施形態では、１つまたは複数の建築設備のライフサイクル、メンテナンス、およびメトリック監査を監視および報告する方法は、ガラスリフトシャフトを含む１つまたは複数の建物の外壁および屋根の表面の全体的な熱伝達値（ＯＴＴＶ）を計算することにより、建物と外部環境との間の熱伝達を推定することと、１つまたは複数の変圧器を使用して、建物施設の電力消費の電気および/または電圧を測定することと、建物施設の１つで回生した電気エネルギーを１つ以上の蓄電ステーションで保管することと、再生された電気エネルギーを配電網に再分配することとをさらに含み得る。特に、特定の時間におけるガラス窓からの熱利得Ｑ’ｇは、次のように計算できます：
Ｑ’ｇ＝ＵｆＡｆ−（Ｔａｏ−Ｔａｉ）、
ここで、Ｕｆは開窓の熱伝達指標値、Ａｆは開窓の面積、Ｔａｏは屋外の気温で、Ｔａｉは屋内の気温です。
【００３４】
本考案のいくつかの実施形態では、１つ以上の建物施設のライフサイクル、メンテナンス、およびメトリック監査を監視および報告する方法は、エネルギー使用効率を改善するため、屋外温度、局所条件、屋内温度に対する要件、およびユーザーによる費用対効果を考慮することをさらに含み得る。一般的なフレームワーク、建物の全体的なエネルギー効率を計算するための規制された方法、およびエネルギー効率の最終的な使用基準は、新しい建物の建設または既存の建物の改修のための監視制御およびデータ取得（ＳＣＡＤＡ）システムで採用されています。
【００３５】
本考案のいくつかの実施形態では、１つまたは複数の建築設備のライフサイクル、メンテナンス、およびメトリック監査を監視および報告する方法は、同じ向きの建物壁面の全体的な熱伝達値（ＯＴＴＶ）を取得することをさらに含むことができ、熱利得の３つの主要な要素として、気象と太陽のデータを考慮します。非透明面とガラス面を介した熱伝達用のＯＴＴＶは、ガラスリフトシャフト（または建物の外層）の全体的な熱伝導率を推定するために使用できます。ガラスリフトシャフトの電力使用量の記録から、膨大な電力使用量は主に冷却装置の使用が原因であることがわかります。
【００３６】
本考案のいくつかの実施形態では、１つ以上の建築施設のライフサイクル、メンテナンス、およびメトリック監査を監視および報告する方法は、異なる向きの壁を考慮して太陽エネルギーの異なる吸収を考慮することをさらに含むことができる。最初に、各方向の建物の壁のそれぞれのＯＴＴＶが計算され、次に計算値の加重平均が取得されます。最後に、すべての建物の壁の全体的なＯＴＴＶが計算されます。
【００３７】
本考案のいくつかの実施形態では、１つ以上の建築設備のライフサイクル、メンテナンス、およびメトリック監査を監視および報告する方法は、建物の屋根のＯＴＴＶを計算するために使用される同様の方法を含み得る。建物の屋根のＯＴＴＶの計算は、屋根に通常は大きなガラスの領域がないため、より簡単になります（建物の中央にある中庭を除く）。ＯＴＴＶは主に建物の外層の全体的な熱伝導率の評価に使用されます。３つのパラメータ：等価温度差（ＴＤｅｑ）、外部と内部の設計条件間の温度差（ＤＴ）、およびその方向の太陽係数（ＳＦ）で得られた式によって、ＯＴＴＶを使用したエネルギー消費評価の精度を決定し、どんな種類の問題が存在するかを反映します。
【００３８】
本考案のいくつかの実施形態では、１つ以上の建物施設のライフサイクル、メンテナンス、およびメトリック監査を監視および報告する方法は、非透明表面およびガラス表面の熱伝導と太陽放射を用いて、ガラスリフトシャフトまたは建物の外層の全体の熱伝導率を評価するための指標、ＴＤおよびＳＦを計算することをさらに含み得る。エネルギー節約の可能性を計算し、データ収集ネットワーク、エネルギー収集、深層学習、環境技術の分野に適用できます。
【００３９】
本考案のいくつかの実施形態では、１つ以上の建築施設のライフサイクル、メンテナンス、およびメトリック監査を監視および報告する方法は、ＯＴＴＶ、空調機から放散される熱、リフトおよび制御システムによって生成される熱を含む外部層の熱伝導を通じて、屋外から屋内へのガラスリフトシャフトの熱利得を評価することをさらに含み得る。
【００４０】
本考案のいくつかの実施形態では、１つまたは複数の建物施設のライフサイクル、メンテナンス、およびメトリック監査を監視および報告する方法は、電力消費の有効性を最大化することをさらに含み得る。建物の根本的な運用上の問題、調査中の改善と最適化の機会、エネルギーギャップの識別に十分な信頼性を可能な限り特定することが不可欠です。
【００４１】
本考案のいくつかの実施形態では、１つ以上の建物施設のライフサイクル、メンテナンス、およびメトリック監査を監視および報告する方法は、１つ以上の太陽光発電ユニットで太陽エネルギーを電気エネルギーに変換することをさらに含み得る。ここで、太陽光発電ユニットは、透明な太陽光発電材料でコーティングされ、電気貯蔵ステーションに電気的に接続された１つ以上の建物窓および建物ガラス壁を含む。
【００４２】
本考案のいくつかの実施形態では、１つ以上の建物施設のライフサイクル、メンテナンス、およびメトリック監査を監視および報告する方法は、１つ以上の太陽熱エネルギー交換ユニットで太陽エネルギーを電気エネルギーに変換することをさらに含み得る。太陽熱エネルギー交換ユニットは、透明な熱吸収材料でコーティングされ、熱電変換層に接続された１つ以上の建物の窓を備えています。ここで、熱電気変換層は、蓄電ステーションに電気的に接続されたコーティングされた建物の窓上の圧電コーティングである。
【００４３】
本考案のいくつかの実施形態では、１つまたは複数の建築施設のライフサイクル、メンテナンス、およびメトリック監査を監視および報告する方法は、自動的かつ包括的に実行され、作業環境のニーズの将来的な変化に適応するのに十分な柔軟性を備えた効果的な作業環境を維持することをさらに含み得る。
【００４４】
本考案のいくつかの実施形態では、１つまたは複数の建築設備のライフサイクル、メンテナンス、およびメトリックの監査を監視および報告する方法は、収集された建築文書を計算および調査することをさらに含み得るが、本開示にリストされた項目に限定されない。基本情報は、次のような保守作業要素の品質監査中に記録されます。
ａ）ファイル番号、ｂ）建物名、ｃ）住所、ｄ）設置日、ｅ）階数、ｆ）提供階数、ｇ）リフトメーカー、ｈ）メンテナンス会社、ｉ）リフトタイプ、ｊ）リフト数、ｋ）ｍ／ｃの位置、ｌ）定格荷重、ｍ）機械モデル、ｎ）リフト無効化、ｏ）消防士のリフト、ｐ）ドアが開いているサイズ、ｐ）ドアのタイプなど、ｑ）ｃ．ｐ．モデル、ｓ）ロープの数、ｔ）ロープ（１：１からｎ：１）、ｕ）ロープの直径、ｖ）通常荷重ｑ、ｗ）車の質量ｆ、ｘ）ワイヤーロープの種類、ｙ）公称強度、ｚ）ロープの直径、ａａ）曲げ回数、ｂｂ）速度、ｃｃ）トラクションシーブの直径、ｄｄ）たわみシーブの直径、ｅｅ）ロープの曲げ長さ、ｆｆ）加速度、および、ｇｇ）その他の環境要因。
【００４５】
本考案のいくつかの実施形態では、１つ以上の建築施設のライフサイクル、メンテナンス、およびメトリック監査を監視および報告する方法は、建物の運用改善を最大化することをさらに含むことができ、データ収集は年間を通して実行されるため、運用は寒い季節と暑い季節、および中間の季節のパラメータの傾向を完全に調べることができます。診断監視と機能テストでは、根本的な運用上の問題が発生します。
【００４６】
本考案のいくつかの実施形態では、１つまたは複数の建築施設のライフサイクル、メンテナンス、およびメトリックの監査を監視および報告する方法は、診断の監視とテストの有効性を高め、運用上の問題の根本原因の理解を促進するため、初期機器およびデバイスのチェック、センサの較正などのシステムの簡単な固定を実施することをさらに含むことができる。
【００４７】
本考案のいくつかの実施形態では、１つまたは複数の建築設備のライフサイクル、メンテナンス、およびメトリック監査を監視および報告する方法は、建物情報に基づいて建物のエネルギーモデリングおよびシミュレーションを実行することをさらに含み得る。
【００４８】
本考案のいくつかの実施形態では、１つ以上の建築施設のライフサイクル、メンテナンス、およびメトリック監査を監視および報告する方法は、以下のことができるエネルギーモデリングに関連する場合がある：（ａ）建物のエネルギー使用の詳細な内訳を正確に評価する、および、（ｂ）特定された機会の選択を支援するために、省エネの量を評価する。
【００４９】
本考案のいくつかの実施形態では、１つまたは複数の建築設備のライフサイクル、保守、およびメトリック監査を監視および報告する方法は、現在の運用情報を構築するなど、すべての所見を要約する計画を作成することと、計画段階での年間エネルギー使用量とその内訳を構築することとをさらに含み、既存の建物施設のライフサイクルを最適化するための後続の活動を計画します。
【００５０】
図１は、データ取得、分析、処理、通信、ランニングモードおよびシステムのインターフェースの概要を示す、１つまたは複数の建物施設のライフサイクル、メンテナンス、およびメトリックの監査を監視および報告するシステムの一実施形態のデータ操作および構成によるブロック図である。
【００５１】
図２は、１つ以上のリフト５と１つ以上のカウンターウェイト６とを備えるリフトシステムの動作を監視するシステムの一実施形態を示している。この実施形態では、システムは、ケーブル張力プロファイル、電力消費、およびリフト５の負荷などのリフト動作データを収集するために、それぞれ吊り下げ手段または持ち上げ装置１に設置された１つ以上の負荷センサ４を含む。ここで、懸架手段は、１つ以上のロープ、ケーブル、および１つ以上の追跡プーリーを含む。システムは、リフト５の動きを制御する負荷制御ユニット８、負荷制御ユニット８に電気的に接続され、サスペンション手段１の負荷分散およびリフト５の電力消費を最適化する最適化プロセスを実行するプロセッサ９、リフト操作データを受信および保存するためのクラウドサーバーなどの１つまたは複数のリモートプロセッサ１２０、リモートプロセッサ１２０およびコントロールセンターシステム１３０と通信するためにプロセッサ９に接続されている通信モジュール、リモートプロセッサ１２０からのデータにアクセスして検索するための、１つ以上のネットワークユーザーインターフェイス１４０を含むコントロールセンター１３０を含む。負荷センサ４によって生成された動作データは、リモートプロセッサ１２０に送信され収集される。リモートプロセッサ１２０は、吊り上げシステムの吊り上げ手段１または吊り上げ装置の過剰な摩耗およびロープおよびケーブルの疲労を含む異常な動作の検出のために収集された動作データを分析するようにさらに構成される。そして、リモートプロセッサ１２０は、収集された動作データからリフトメンテナンスおよび測定監査レポート（ＬＭＡＲ）を生成するようにさらに構成される。
【００５２】
本考案のいくつかの実施形態では、吊り上げシステムの動作を監視するシステムは、懸架手段１内のケーブルの負荷分布の均一性を判定するためのノイズデータを収集する複数のノイズセンサをさらに備える。負荷センサ４の少なくとも１つは、リフト操作データを負荷制御ユニット８に送信するための有線または無線送信機と一体化されている。少なくとも１つのノイズセンサは、ノイズデータを負荷制御ユニット８に送信するための有線または無線送信機と統合されている。そして、負荷制御ユニット８は、負荷センサまたはノイズセンサからリフト動作データを受信し、監査制御のためにリモートプロセッサ１２０に制御信号を送信するための有線または無線トランシーバと統合される。
【００５３】
本考案のいくつかの実施形態では、負荷センサ４は、コントローラを備えた様々なタイプの検出センサであり得る。ただし、市場で入手可能な同様のセンサを使用して、リモート監視システムを実行することもできます。リフト（エレベータ）および/またはエスカレータまたは同様の機器の状態のデータは、取り付けられたセンサによって収集され、インターネットに送信されます。個々のリフト（エレベータ）の収集データは、インターネットデータベースに保存されます。
【００５４】
図３は、本考案の一実施形態におけるリフティングシステムの異なる走行モードを示す。懸架手段１は、高い位置に配置された昇降機によって駆動されるロープまたはケーブルを備えてもよい。現在、リフティングマシンは、最も単純な形で、リフト５の動きを作動させるための１つまたは複数の電動機または電気駆動装置２と、リフト５の上方移動中にロープが巻き付き、リフト５の下方移動中にロープが解けるウォームスクリューリデューサーおよびドラムとを含む。
【００５５】
本考案のいくつかの実施形態では、リフティングシステムは、リフト５の下の可撓性ケーブル、およびフィクションによってロープを引くための電気駆動装置またはモーター２に接続された牽引プーリーなどの接続装置をさらに含み得る。このような構成により、リフティングマシンの作業負荷を大幅に削減できることは容易に理解できます。
【００５６】
移動方向と積載条件に応じて、図３に示すように、リフティングシステムには、「重負荷アップ」、「軽負荷アップ」、「重負荷ダウン」、「軽負荷ダウン」という実行モードがあります。図示の実施形態では、これらの４つの実行モードは、１：１のロープ比で構成されている。しかし、当業者には、１：１、２：１…Ｎ：１などのさまざまな種類のロープ比率があり得ることが理解されよう。異なる実行モードでのさまざまな種類の吊り上げシステムで、Ｎは整数です。
【００５７】
図４に示すように、リフティングシステムの動作を監視するシステムは、リフト５および／またはカウンターウェイト６の移動中に再生される電気エネルギーを貯蔵し、貯蔵した電気エネルギーをリフティングシステムに供給する１つ以上の回生エネルギー貯蔵アセンブリ１２、配電網、およびメインアイソレーターをさらに含むことができる。
【００５８】
前述のシステムは、それぞれが荷重センサ４とインターフェース接続された１つ以上の計量装置１１と、複数のモーター制御パネル３および回生エネルギー貯蔵アセンブリ１２と相互接続された１つまたは複数の電源７とを含むことができる。
【００５９】
図５に示すように、前述のシステムは、それぞれがモーター制御パネル３と電源との間に設置された回生エネルギー貯蔵アセンブリ１２の１つに接続され、負荷センサによって測定されたリフティングシステムの電力消費量に応じた電気駆動に電流を割り当てる１つまたは複数の絶縁スイッチと、計量装置１１とインターフェースするためのＣＴクランプ１４を引っ掛けるための伝導部と、をさらに備える。
【００６０】
本考案のいくつかの他の実施形態において、リフティングシステムの動作を監視するシステムは、永久磁石および銅コイルからなる発電機を採用して電気エネルギーを再生し、回生エネルギーをリサイクルして効果的なエネルギー節約を図ってもよい。このシステムは、システムのエネルギー消費ニーズを確実に満たし、余分なエネルギーを炭素取引の新しいエネルギーに再利用できるようにするために、さまざまなタイプの輸送施設または同様の施設で使用できます。
【００６１】
図３および図４を参照すると、リフティングシステムの動作を監視するシステムは、リフティングシャフト、リフト機械室、リフト機器、または、建物内外の他の場所に設置され得る、リフトカーのフライトをシミュレートするため、昇降運動および乗客の流れを捕捉するための複数の光学インテリジェントシステム１３をさらに備え得る。光学インテリジェントシステム１３は、リフトカーの上昇トリップをアニメーション化および追跡するための慣性カメラまたは非慣性カメラと、リフティングシステム内の乗客の流れを記録するための３Ｄカメラとを備えてもよい。建物の床が複数のストップのクラスターに分割され、それぞれが１つまたは複数のリフトカーによって処理されるリフトゾーニングを配置するためのリフトカーのフライトのシミュレーション。このリフトゾーニングの配置により、特定のフロアに移動する乗客はグループ化される可能性が高くなり、トラフィックの効率とエネルギー使用量を改善できます。
【００６２】
本考案のいくつかの他の実施形態では、光学インテリジェントシステム１３は、スマートフォンを介してユーザー識別を可能にし、ユーザー、オブジェクト、建物、機器および物の静止画像およびビデオの記録機能を提供するスマートフォンに適合するカメラの形態であってもよい。インターネットを介してワイヤレスネットワーク接続を提供し、どこからでも電話を介してユーザーまたは監査者と表示および会話する。セキュリティを次のレベルにアップグレードするために、静止画像および/またはビデオ保存機能も提供される場合があります。ＬＣＤディスプレイでは、より鮮明な画像ディスプレイを備えた高解像度（ＨＤ）品質のディスプレイを有効にできます。ビューポートの構成とターゲットを選択できます。次のステップは、ビューポートナビゲーション制御と、ＡｕｔｏＣＡＤプランを使用した３Ｄ  Ｍａｘでのモデルの構築を含むがこれに限定されない特定のコンピュータープログラムを介した３Ｄモデルの作成です。次のステップには、ビューポートレイアウトサンプルモデリング、マテリアルとマップ、詳細なモデリング、プロセスズーム機能による照明とバメラ、遠近法と正投影ビューポートコントロールの設定が含まれます。
【００６３】
本考案のいくつかの他の実施形態では、リフティングシステムの動作を監視するためのシステムは、リフトに設置され、リフトカーのドアが開いているか閉じているかを検出する複数のドアセンサをさらに備えてもよい。リフトのドアセンサがリフトのドアが開いていることを検出すると、ホイストブレーキまたはブレーキ手段のそれぞれがリフトカーを保持するように促される。
【００６４】
本考案のいくつかの他の実施形態では、リフティングシステムの動作を監視するシステムは、複数の昇降シャフトおよび建物施設に設置され、火災の存在を検出し、火災の存在が検出されると負荷制御ユニット８に信号を送る複数の火災または煙センサと、火災警報システムとをさらに備え、負荷制御ユニットは火災警報動作を自動的に開始します。そして、火災警報システムの動作は、火災検知信号が受信されたときにリフトカーを安全階に移動させることを含む。
【００６５】
本考案のいくつかの他の実施形態において、火災警報システムは、少なくとも１つのリフトシャフトの上方に位置する複数の換気ポートを含む。換気ポートの少なくとも１つは、太陽熱エネルギー交換窓とともに設置される。太陽熱エネルギー交換窓は、通常の状態ではエネルギー生成のために閉じられ、火災の存在が検出されると換気のために開かれる。
【００６６】
本考案のいくつかの他の実施形態では、火災警報システムは、建物の階段および／または廊下に位置する複数のボタンをさらに含む。負荷制御ユニットは、火災警報システムの動作を開始するためにトリガーされます。そして、火災警報システムの動作は、ボタンの１つが押されたときに、エレベータかごをメインエントランスが位置する１階である安全階に移動することを含む。
【００６７】
本考案のいくつかの他の実施形態では、リフティングシステムの動作を監視するシステムは、コントローラと統合された、電気、磁気、機械、光学、音響、触覚、機械、バイオアクチュエータなどのセンサまたは検出器をさらに含み得る。３Ｇ/４Ｇ/５Ｇセルラー、ＮＢ−ＩｏＴ、ＬｏＲａ、Ｓｉｇｆｏｘなどのさまざまな通信技術を使用して、データを生成し、パターンを検出し、予測可能性を高め、意思決定を改善し、さまざまな分野で通信を監視します。
【００６８】
本考案のいくつかの他の実施形態では、リフティングシステムの動作を監視するためのシステムは、ＰＬＣやｐｏＬｉｎｅなどの電気ケーブルキャリア通信ネットワークとさらにインターフェースし、既存の電気ケーブルを通信媒体として使用して有線通信への投資を回避して、システムのコストを削減し、エネルギーを節約します。
【００６９】
本考案のいくつかの他の実施形態では、リフティングシステムの動作を監視するシステムは、３Ｄ飛行時間（ＴＯＦ）または同様の機能を備えた他のセンサ接続手段とさらに接続し、トラクションエレベータドアのクリアランス測定装置に対応して設計およびさまざまなシステムでの機能分析を行います。
【００７０】
本考案のいくつかの実施形態では、昇降システムの動作を監視するためのシステムは、昇降運動における無負荷および全負荷でのリフトバランス形式の動的公差解析モデリングに使用され得る。さまざまな実行モードで、電気、磁気、化学機械、光学、音響、触覚、機械、バイオアクチュエータ、塩、酸などのさまざまなタイプの検出センサを介して。
【００７１】
図２に戻ると、ロープおよび／またはケーブル上の負荷センサ４の使用、長距離有線／無線データ伝送デバイスと統合された負荷制御ユニット８により、監査人は、検出された機器の効果的な監査プロセス、予測分析、および寿命の定量化を行うことができます。プロセッサ９が負荷センサ４、負荷制御ユニット８、セルラーモジュール、およびＳＩＭカード１０の間で通信することにより、実質的な機械学習が実現されます。リモートプロセッサ１２０およびコントロールセンター１３０への自動通信。したがって、従来技術のように、リフトカー上の負荷センサとの通信するエレベータ制御装置から負荷データを取得する必要はなく、したがって、本考案は、そのエレベータ制御装置からデータを取得することに基づく従来技術とはさらに進歩し、根本的に異なる。本考案において、通信モジュールは、国際移動加入者識別（ＩＭＳＩ）番号を安全に保存することを目的とする集積回路携帯メモリチップである加入者識別モジュール（ＳＩＭ）カード１０と接続され、その関連キーは、モバイルテレフォニーデバイス（スマートフォンやコンピューターなど）の加入者の識別および認証に使用される。したがって、本考案のリフティングシステムの動作を監視するシステムは、様々なタイプのリフトおよびエスカレータ／乗客コンベア、機械式駐車システム、および同様の機能装置に適用することができる。
【００７２】
本考案のいくつかの実施形態では、リフティングシステムの動作を監視するシステムに情報および機械学習技術を適用して、モノのスマートインターネット（ＩｏＴ）、サービスのスマートインターネット（ＩｏＳ）、あらゆるもののスマートインターネット（ＩｏＥ）、車両のスマートインターネット（ＩｏＶ）、ビッグデータ、および、気象台から提供される気象情報、予報、湿度などのデータを処理するためのハドープ（ｈａｄｏｏｐ）とインターフェースするスマートネットワークを形成することもできる。モバイルデバイスを使用すると、スマートフォンアプリケーションを使用して、データインテリジェンス、マップ削減、結果整合性、予測分析を使用して、データフローとリモート保存場所を制御できます。このシステムは、ロープ／ケーブルの機械的特性の計算、中央データベースの維持および保護のためのソフトウェアプログラムをさらに含み得る。そのような目的のためのいくつかの数式モデルと、異なる機能を処理するためのさまざまなアルゴリズムがあることを理解されたい。一実施形態では、ロープ比２：１のリフト構築モデリングにおけるメインロープの疲労破壊に関する分析的研究のためのアルゴリズムを使用して、始動および加速中のロープの非線形リフト荷重の新しい同時手段を得る。車のケージが最下層に駐車され、釣り合いおもりが上層に配置される総張力と最大圧力点に関して、ロープへの負荷を計算するための確立された公式Ｆｃは次のとおりです。
Ｆｃ＝（Ｗｃａｒ＋Ｑ＋Ｗｒｏｐｅ＋Ｗｃａｂｌｅ）×（ｇ＋ａ）＋Ｔｏｔａｌ  ｊｖ／Ｒ０
ここで、Ｗｃａｒはリフト５の重量です。
Ｑは、リフト５の定格荷重（定格ハンドル容量）です。
Ｗｒｏｐｅはロープの重量です。
ｊは、検出されたロープの滑車下計算の回転慣性です
Ｗｃａｂｌｅは、移動ケーブルの重量です。
ａは、リフト（ロープ）の加速を表します。
ｇは重力による加速を表します。
ｖは回転開始角度です。
Ｒ０はトラクションシーブの半径です。
【００７３】
本考案のいくつかの実施形態では、リフト５、釣り合いおもり６、電源７、および負荷制御ユニット８は、ロープ／ケーブルまたは同様のシステムを作るために必要な基本要素である。このシステムは、弾性ばね緩衝器または調整可能な圧縮ばねを備えたロープおよび／またはケーブル懸架（デッドポイント）であり得る負荷支持および懸架手段をさらに含み得る。したがって、プログラム可能な測定制御をインストールして、ロープセンサーからの信号を受信し、それらを使用可能なデータに変換して、簡単に見ることができる曲げおよびねじり荷重と比較して比較的大きな軸方向荷重などのロープの重要なパラメータを測定できます。さらに、曲げおよび引張応力、力およびトルクに関連する張力下のロープは、記録と報告書に従ってリアルタイムで監査および調整できます。同様の力測定手段を使用して、次のパラメータを取得できます。ａ）引張力、ｂ）曲げサイクル数、ｃ）曲げサイクルの修正、ｄ）作業サイクル数、ｅ）荷重シーケンス曲げ長さ、ｆ）荷重ロードシーケンスごとの要素。さらに、ロープ駆動には５つの寸法制限があります（Ｆｅｙｒｅｒ（２００７）を参照）。ｉ）ロープ作業サイクル、ｉｉ）ドナンド力、ｉｉｉ）ロープ安全係数、ｉｖ）断線回数の破棄、ｖ）最適ロープ径など。また、異なる負荷条件（無負荷、軽負荷または重負荷）のリフトの動的公差解析のために、リフト操作の異なる実行モードでの電力のリアルタイム測定を、図２に示すセンサ「１」…「Ｎ」の入力を介して実現できます。分析結果に基づいて、予防/予測メンテナンスをスケジュールできます。特に、加速度の計算に関して、負荷の重み付け値を検出するための確立された式の１つは次のとおりです。
ベクトルＫ＝ベクトルＮ（Ｇ１＋Ｇ２）／２Ｑ
ここで、Ｋはリフトバランス係数です。
Ｎはロープ比率です。
Ｇ１は、リフト５とカウンターウェイト６の重量差からシステムの最大フィクション係数を引いたものです。
Ｇ２は、リフト５とカウンターウェイト６の重量差にシステムの最大フィクション係数を加えたものです。
Ｑは、リフト５の定格荷重（定格ハンドル容量）です。
【００７４】
本考案のいくつかの実施形態では、リフティングシステムの動作を監視するためのシステムは、異なるクラスのセルラーモジュール、特定範囲のデュアルバンド、インターフェースモジュール、汎用入出力（ＧＰＩＯ）、インターネットプロトコルサポートプリンター、プロッター、および／または、責任者がリフト保守監査、概要実行モード、データ分析（記述的分析、診断分析、予測分析、規範的分析を含むが、これらに限定されない）に携わる担当者をアシストする同様の機器を介して有線および／または無線通信システムにさらに接続されてもよい。）ロープの曲げ、さらには駆動、離反、および破損がリフト操作用のシーブ上でロービングされるロープおよび/またはケーブルの寿命を定量化する主要な要因であるため、同様の機能といくつかの分析を適用して、たとえば単純な曲げおよび逆曲げを計算できます。有効なロープ張力Ｓをできるだけ正確に知る必要があるため、システムを使用してロープの曲げサイクル数を処理することができます。これ以上正確な情報が得られない場合、機器を持ち上げるための有効なロープ張力Ｓは、ａ）荷重Ｑ、ｂ）ベアリングワイヤロープの数ｎＴ、ｃ）重力による加速度ｇ、ｄ）グローバルロープ力係数ｆｓ１、ｆｓ２、ｆｓ３およびｆｓ４、負荷ガイダンスからの摩擦（滑りガイダンス、ロープ効率、平行ベアリングロープ、加速、減速、負荷速度など）、有効なロープ張力を計算する十分に確立された式Ｓは、
Ｓ＝Ｑ×ｇ／ｎＴ×ｆｓ１×ｆｓ２×ｆｓ３×ｆｓ４。
【００７５】
本考案のいくつかの実施形態において、セキュリティを次のレベルにアップグレードするために、静止画像および／またはビデオ保存機能のイメージングシステムとインターフェースするデータベースも提供される。高解像度（ＨＤ）品質のディスプレイと、より鮮明な画像表示がＬＣＤアプリケーションを介して可能になります。電話を介したユーザーおよび／または監査人の識別を可能にし、リアルタイムでの荷積みおよび荷降ろし操作などのリフト操作の信頼できる監査のために、任意のオブジェクトおよび／または人物の静止画像およびビデオの記録機能を提供します。コントローラと統合された長距離ワイヤー／ワイヤレスデータ送信デバイスを備えた３Ｄカメラなど、さまざまなタイプの視覚および音声センサが実装され、リフトシャフトを簡単に確認できるマルチ／独立したリモートレポートメンテナンス、監査および測定システムを形成します。コントローラは、汎用パケット無線サービス（ＧＰＲＳ）モジュール、ｗｉｆｉ、Ｂｌｕｅｔｏｏｔｈ（登録商標）、３Ｇ、４Ｇ（ＬＴＥ）、５Ｇ、Ｚ波、ＮＦＣ、ＩＥＥＥ  ８０２、１５．４（Ｚｉｇｂｅｅ）、イーサネット（登録商標）インターフェース回路、ＬｏＲａ、Ｓｉｇｆｏｘ、ナローバンド（ＮＢ）−ＩｏＴ、インターネットプロトコル（ＩＰ）シグナリングシステム−アドバンスドインテリジェントネットワーク（ＡＩＮ）システムなどを含む制御インターフェース回路を含むことができます。
【００７６】
本考案のいくつかの実施形態では、地図データベースを提供することもでき、それにより、セルラーまたは通信および伝送システム（ＣＴＳ）はローカルシステムによってアクセスされる。リフトの場所を特定する際に地理的およびその他の必要な情報を示す地図が表示されます。マップデータベースは、Ｔｏｔａｌ  Ｍａｉｎｔｅｎａｎｃｅ  Ｍａｎａｇｅｍｅｎｔ  Ｓｙｓｔｅｍ（ＴＭＭＳ）にリンクできます。これは、ＮｏｓＱＬ、言語、Ｗｅｂ指向／ＪＳＯＮ、暗黙的スキームに関連するがこれらに限定されず、大量のデータ、結果整合性、オープンソースなどをサポートします。システムはさらに３Ｄフライト時間（ＴＯＦ）または同様のセンサと接続して、構造の柔軟性の範囲を拡大することができます。また、フォールトコール記録、故障チェック、車の着陸チェック、ドアのクリアランスとレベリングの測定、リフト操作にアクセスすることによるロープの状態チェック、ガイドシューズの状況、ガイドレールの状況、トラクションシーブの状況、振動のリスクベースのモデルを採用する場合があります。メソッドは、ロープサスペンションから通信し、通常荷重Ｑ、車質量Ｆ、ワイヤロープタイプなどの詳細を入力します。公称強度Ｒ、ロープの直径ｄ、曲げ回数Ｎ、ロープの曲げ長さＬ、トラクションシーブの直径Ｄｔ、デフレクションシーブの直径Ｄｒ、速度Ｖは、いくつかの数式モデルが適用できる予測分析に使用できます。一定の張力Ｓと単純な曲げサイクルの数、および埋め込みのための変動する張力と単純な曲げサイクルの組み合わせの数による変動する張力と曲げ：
ｌｇＮ＝ｂ０＋（ｂ１＋ｂ３×ｌｇＤ／ｄ）×（ｌｇＳ／ｄ２−０．４×ｌｇＲ０／１７７０）＋ｂ２×ｌｇＤ／ｄ＋ｌｇｆｄ＋ｌｇｆＣ。
【００７７】
本考案のいくつかの実施形態では、リフティングシステムの動作を監視する方法が提供され、トレンド分析のために、ピーク時間および非ピーク時間にリフトおよびエスカレータ設置の診断モニタリングを行い、リフト電力を記録する。
【００７８】
本考案のいくつかの実施形態では、リフティングシステムの動作を監視する方法は、収集されたトレンドログデータを分析し、設計された特定の期間中のリフト電力消費を測定することを含み得る。設計された特定の期間中のリフト消費電力の比率がプロットされます。この比率は、エネルギーを節約するために比較的高いことがわかったときに低下します。回生電力は、一連の蓄電池バンクおよび/またはコンデンサを介して蓄えられます。
【００７９】
本考案のいくつかの実施形態では、リフティングシステムの動作を監視する方法は、安全係数を高め、摩耗および裂け目を制限するために、巻き上げロープのロープ張力の不均一な設定による摩耗を最小限に抑え、保持されたシステムを利用すること、最適な調整が可能な乗車中に設定されたロープのさまざまな荷重分布を備えるエレベータ設置で保持されているシステムを利用することをさらに含み得る。
【００８０】
本考案のいくつかの実施形態では、リフティングシステムの動作を監視する方法は、制御されない動き、突然の落下、または遠隔監査による同様の苦情などのインシデントの調査をさらに含み得る。走行環境と品質に関して、ロープまたはケーブルの寿命の計算では、応力、張力、サスペンション、振動、周波数、力の均等化などのパラメータが考慮され、常に寿命が限られているロープまたはケーブルを、関連するすべてのロープやケーブルのデータに基づいて、故障が発生するかなり前に、関連要素を交換できます。溝、シーブ、プーリー、ギア、シャフトなど、曲げやねじりの負荷に比べて比較的大きな軸方向の負荷に耐えるリフト装置の他の部品に関しては、シャフト、プーリー、ガイドシューズなどの機械的効率（力係数ｆｓｉ〜〜ｆｓ４）、および負荷ガイダンスからの摩擦により、最初の始動の摩擦を克服するために、データの収集をリフトから実行することができます。ＬＭＡＲは、摩擦の影響を受ける寿命とリフト操作のパフォーマンスも確実に予測できます。
【００８１】
本考案のいくつかの実施形態では、リフティングシステムの動作を監視する方法は、エネルギー管理エンティティが、建物の電気負荷を監視、測定、制御できるように、負荷に加えて、移動する不均衡な負荷、電力の回生、および回生電力の貯蔵および再利用による電力消費への影響を測定することをさらに含むことができる。この方法は、（ａ）エネルギー管理システム（ＩＳＯ  ５０００１）、（ｂ）環境管理システム（ＩＳＯ１４００１）、（ｃ）情報セキュリティ管理システム（ＩＳＯ／ＩＥＣ  ２７００１）に従って、施設および建物の管理者がデータを収集して、サイト全体のエネルギー活動に関するより多くの情報に基づいた決定を行えるようにする計測、サブ計測、および監視機能をさらに提供します。この方法は、特に気候変動を緩和するために、排出量削減のための経済的インセンティブを提供、社会への最低コストを達成することにより汚染を制御するための卸売電力価格市場ベースのアプローチでＣＯ２キャップアンドトレード（Ｃ＆Ｔ）排出量取引プログラムを交換するために必要な柔軟性を備えた技術革新と経済成長の刺激にも使用できます。
【００８２】
本考案のいくつかの実施形態では、リフティングシステムの動作を監視する方法は、シャフト効率を定義する基本要素の合計を監査すること、リフト設置の品質を測定すること、および空力抵抗（シャフト効率が高いほど、摩擦により消費されるエネルギーが低くなるという事実に基づいて、リフト操作中に生成される定格速度の２乗）を通して散逸する動力を予測することをさらに含み得る。
【００８３】
リフティングシステムの動作を監視するシステムと方法は、バーチャルリアリティ（ＶＲ）、拡張現実（ＡＲ）、複合現実（ＭＲ）、代替現実（ＳＲ）またはシネマティックリアリティ（ＣＲ）の技術と統合して、手動による監視と検査を必要とする既存の吊り上げシステムに関連するエラー、労働、安全の問題の影響を改善および最小化することができます。機械用のＶＲ、ＡＲ、ＭＲまたはＳＲベースのモバイルデバイスデモンストレーションシステムは、診断および保守の手順タスクに適用できます。これは、サウンド、ビデオ、グラフィックス、ＧＰＳデータなどのコンピューター生成の感覚入力によって要素が増強（または補完）される物理的、現実世界の環境の直接または間接的なライブビューです。このテクノロジーは、関連するツールによってユーザーが利用でき、ユーザーに機器とプロセスの貴重な追加情報を提供し、運用タスクの実行をガイドし、手作業なしで作業できるようにします。これにより、メンテナンスと監査レポートを迅速かつ安全に取得できます、リフトで作業するリスクを軽減します。
【００８４】
これにより、独立した機械式ロープグリッパーとの連携が、無制限の戸開走行保護（ＵＣＭＰ）の停止要素として使用されます。さらに、既存のＬｉｆｔ  Ｅプラットフォームのレポートシステムに焦点を合わせても、データ分析プロセス、深層学習、２４時間から７日間のデータマイニングを提供できません。一方、建物情報モデリングシステムをさらに適用および統合（ＢＩＭ）することにより、施設の物理的および機能的特性のデジタル表現を実現できます。エンタープライズリソースプランニング（ＥＲＰ）、レトロコミッショニング（ＲＣｘ）、エネルギー監査（ＥＡＣ）で、構想から解体までのライフサイクル中に意思決定の信頼できる基礎を形成する施設に関する知識、リソース、および情報。したがって、既存の建物の性能を定期的にチェックし、エネルギーを節約してコストを削減するための運用上の改善点を特定する、費用対効果の高い体系的なプロセスが提供されます。
【００８５】
いくつかの実施形態では、システムの検知モジュールは、建物の地理的構成データを収集するために建物の内外に設置された三次元空間測定センサをさらに備えてもよい。いくつかの実施形態では、システムの検知モジュールは、火災スプリンクラーホースリトラクターデータを収集し、消火追跡データシステムを統合するためにデータをコントロールセンターに送信するための１つ以上の火災スプリンクラーホースリトラクターボタンをさらに備えてもよい。
【００８６】
いくつかの実施形態では、システムの検知モジュールは、さらに、検知モジュールと通信し、建築設備のエネルギー消費を測定するためのエネルギー測定装置を備えてもよい。プロセッサは、エネルギー測定装置から建築設備のエネルギー消費データを受信するように構成される。建物設備の運用最適化計画を策定するために、建物のエネルギー消費モデルをシミュレートします。
【００８７】
いくつかの実施形態では、システムの検知モジュールは、空気指数データを収集するために１つ以上の建物リフトシャフトの１つにそれぞれ設置された１つ以上の空気指数センサと、エレベータ昇降路の疾病の広がりデータを収集および監視し、疾病の広がりデータを制御センターに送信して疾病の広がりデータ追跡システムを統合するための１つまたは複数の微生物センサと、をさらに備えてもよい。
【００８８】
いくつかの実施形態では、システムの検知モジュールは、建物の廃棄物およびキッチンエネルギー貯蔵データを収集および監視し、データを制御センターに送信してゴミおよびキッチンの無駄なエネルギー貯蔵の追跡およびデータシステムを統合するための１つまたは複数のゴミおよびキッチンエネルギー貯蔵変換センサをさらに備えてもよい。
【００８９】
いくつかの実施形態では、システムの検知モジュールは、さらに、ビルの回生エネルギーデータを収集および監視し、データを制御センターに送信して回生エネルギー貯蔵追跡およびデータシステムを統合するための１つまたは複数の回生エネルギーセンサをさらに備えてもよい。
【００９０】
いくつかの実施形態では、システムの検知モジュールは、さらに、ビルの回生エネルギーデータを収集および監視し、データを制御センターに送信して回生エネルギー貯蔵追跡およびデータシステムを統合するための1つまたは複数の回生エネルギーセンサをさらに備えてもよい。
【００９１】
いくつかの実施形態では、システムの検知モジュールは、建物の吸熱圧力層エネルギー貯蔵データを収集および監視し、吸熱圧力層エネルギー貯蔵の追跡とデータシステムを統合するためにデータを制御センターに送信するための１つ以上の吸熱圧力変換センサをさらに備えてもよい。
【００９２】
いくつかの実施形態では、システムの検知モジュールは、建物の太陽熱吸収コーティングエネルギー貯蔵データを収集および監視し、太陽熱吸収コーティングエネルギー貯蔵追跡およびデータシステムを統合するためにデータを制御センターに送信するための１つ以上の太陽熱吸収コーティング変換センサをさらに備えてもよい。
【００９３】
いくつかの実施形態では、システムの検知モジュールは、建物の電気めっき膜熱エネルギー吸収コーティングのエネルギー保存データを収集および監視し、電気めっき膜熱エネルギーコーティングエネルギー貯蔵追跡およびデータシステムを統合するためにデータを制御センターに送信するための１つ以上の電気めっきフィルム熱エネルギー吸収コーティング変換センサをさらに備えてもよい。
【００９４】
いくつかの実施形態では、システムの検知モジュールは、建物の陽極酸化皮膜熱エネルギー吸収コーティングのエネルギー貯蔵データを収集および監視し、陽極酸化皮膜エネルギー貯蔵追跡およびデータシステムを統合するためにデータを制御センターに送信するための１つ以上の陽極酸化皮膜熱エネルギー吸収コーティング変換センサをさらに備えてもよい。
【００９５】
いくつかの実施形態では、システムの検知モジュールは、建物の真空蒸着熱エネルギー吸収コーティングのエネルギー保存データを収集および監視し、真空蒸着エネルギー貯蔵追跡およびデータシステムを統合するためにデータを制御センターに送信するための１つ以上の真空蒸着熱エネルギー吸収コーティング変換センサをさらに備えてもよい。
【００９６】
いくつかの実施形態では、システムの検知モジュールは、建物の太陽エネルギー選択吸収コーティングのエネルギー貯蔵データを収集および監視し、太陽選択吸収コーティングエネルギー貯蔵の追跡とデータシステムを統合するためにデータを制御センターに送信するための１つ以上の太陽選択吸収コーティングセンサをさらに備えてもよい。
【００９７】
一部の実施形態では、システムは、ＳＳＬまたはＨＴＭＬコンバージェンスによってクラウドサーバーにアクセスする中央装置、中央アクセスプラットフォーム（マスリンク）、およびインテリジェントシステムを形成する接続されたネットワークユーザーインターフェイスをさらに備えてもよい。
【００９８】
いくつかの実施形態では、システムは、エレベータのエレベータ昇降路内のエレベータ昇降路またはエレベータかごに設置され、エレベータかごまたは昇降路のビデオまたは画像をキャプチャするための１つまたは複数のカメラと、リフトカーを制御するためのエレベータ制御装置と、機械式ロープグリッパーを含む戸開走行保護（ＵＣＭＰ）ユニットとをさらに備え、１つまたは複数のプロセッサは、カメラからリフトカーまたはリフトシャフトのキャプチャされたビデオまたは画像を受信するようにさらに構成され、受信したビデオまたは画像を処理し、人工知能を使用して、リフトカーまたはリフトシャフト内で発生する異常なインシデントを検出し、１つ以上の異常なインシデントが検出された場合、緊急通報を制御センターに送信し、緊急指示信号をエレベータ制御装置またはＵＣＭＰユニットに送信する。
【００９９】
異常なインシデントには、次のものが含まれます。犯罪行為または致命的な事故が原因であると疑われる異常な人体の動きまたはジェスチャー、リフトドアの意図しない開閉、リフトカーの動きの過速度、リフトカーの意図しない動き、リフトカーに接続された吊り下げ手段のケーブルの破損、リフトカーの移動経路に１つ以上の障害物が存在する。また、エレベータ制御装置に送信される緊急指示信号には、次のうちのいずれかまたは組み合わせが含まれます。エレベータカーを安全フロアに移動する、および、リフトカーのアラームを作動させる。
【０１００】
本明細書で開示される実施形態は、汎用または専用のコンピューティングデバイス、モバイル通信デバイス、コンピュータープロセッサ、またはデジタル信号プロセッサ（ＤＳＰ）を含むがこれに限定されない電子回路、特定用途向け集積回路（ＡＳＩＣ）、フィールドプログラマブルゲートアレイ（ＦＰＧＡ）、および本開示の教示に従って構成またはプログラムされた他のプログラマブルロジックデバイスを使用して実装することができます。本開示の教示に基づいて、ソフトウェアまたは電子技術の当業者は、汎用または専用コンピューティングデバイス、モバイル通信デバイス、コンピュータープロセッサ、またはプログラマブルロジックデバイスで実行されるコンピューター命令またはソフトウェアコードを容易に準備することができる。
【０１０１】
いくつかの実施形態では、本考案は、コンピューターまたはマイクロプロセッサをプログラムして本考案のプロセスのいずれかを実行するのに使用できるコンピューター命令またはソフトウェアコードを格納したコンピューター記憶媒体を含む。ストレージメディアには、フロッピーディスク、光ディスク、Ｂｌｕ−ｒａｙ（登録商標）ディスク、ＤＶＤ、ＣＤ−ＲＯＭ、光磁気ディスク、ＲＯＭ、ＲＡＭ、フラッシュメモリデバイス、または命令、コード、および/またはデータの保存に適した任意の種類のメディアまたはデバイスが含まれますが、これらに限定されません。
【０１０２】
本考案の前述の説明は、例示および説明の目的で提供された。網羅的であること、または開示された正確な形態に本考案を限定することは意図されていない。当業者には多くの修正および変形が明らかであろう。
【０１０３】
実施形態は、本考案の原理およびその実際の応用を最もよく説明するために選択および説明され、それにより、当業者は、様々な実施形態および考えられる特定の用途に適した様々な修正で本考案を理解できるようになる。本考案の範囲は、添付の実用新案登録請求の範囲およびそれらの同等物によって定義されることが意図されている。